(57)【特許請求の範囲】
【請求項１】
レベル1チャネル状態情報測定により次元縮小したチャネル部分空間のチャネル状態情報を獲得するように構成される、第1のチャネル状態情報獲得モジュールであって、前記チャネル部分空間は、次元縮小を各スケジューリング対象のユーザ機器の統計的チャネル部分空間に対して行った後に取得したチャネル部分空間である、第1のチャネル状態情報獲得モジュールと、
前記ユーザ機器をスケジューリングして、多入力多出力に関与するユーザ機器のセットを決定するように構成される、セット決定モジュールと、
レベル2チャネル状態情報測定を前記ユーザ機器のセットのうちのユーザ機器に対して行って次元縮小したリアルタイムチャネルの状態情報を獲得するように構成される、第2のチャネル状態情報獲得モジュールと、
2レベルプリコーディングによりダウンリンクデータおよびユーザ固有の復調基準信号を処理し、処理したダウンリンクデータおよび処理したユーザ固有の復調基準信号を前記ユーザ機器のセットのうちの前記ユーザ機器に送信するように構成される、データ送信モジュールであって、前記2レベルプリコーディングは、前記チャネル部分空間の前記チャネル状態情報に対応する第1レベルのプリコーディングおよび前記リアルタイムチャネルの前記状態情報に対応する第2レベルのプリコーディングを含む、データ送信モジュールとを備える、基地局。
【請求項２】
前記第1のチャネル状態情報獲得モジュールは、
セル固有のレベル1基準信号(RS)を前記ユーザ機器に送信するように構成される、レベル1 RS送信ユニットと、
前記次元縮小したチャネル部分空間の、前記スケジューリング対象のユーザ機器によってフィードバックされた、前記チャネル状態情報を受信するように構成される、第1のチャネル状態受信ユニットであって、前記チャネル部分空間の前記チャネル状態情報は、前記チャネル部分空間の、前記スケジューリング対象のユーザ機器が前記セル固有のレベル1 RSに従って測定を行って対応するチャネル部分空間を取得するとともに次元縮小および量子化を前記チャネル部分空間に対して行った後に取得されるチャネル状態情報である、第1のチャネル状態受信ユニットとを備える、請求項1に記載の基地局。
【請求項３】
前記第1のチャネル状態情報獲得モジュールは、
前記スケジューリング対象のユーザ機器によって送信されたユーザ固有のレベル1 RSを受信するように構成される、レベル1 RS受信ユニットと、
前記ユーザ固有のレベル1 RSを測定して前記スケジューリング対象のユーザ機器に対応するチャネル部分空間を取得し、次元縮小を前記チャネル部分空間に対して行って前記次元縮小したチャネル部分空間の前記チャネル状態情報を取得するように構成される、レベル1 RS測定ユニットとを備える、請求項1に記載の基地局。
【請求項４】
前記第2のチャネル状態情報獲得モジュールは、
ユーザ固有のレベル2 RSを前記ユーザ機器のセットのうちの前記ユーザ機器に送信するように構成される、レベル2 RS送信ユニットと、
前記次元縮小したリアルタイムチャネルの、前記ユーザ機器のセットのうちの前記ユーザ機器によってフィードバックされた、前記状態情報を受信するように構成される、第2のチャネル状態受信ユニットであって、前記次元縮小したリアルタイムチャネルの前記状態情報は、前記次元縮小したリアルタイムチャネルの、前記ユーザ機器のセットのうちの前記ユーザ機器が前記ユーザ固有のレベル2 RSに従って測定および量子化を前記次元縮小したリアルタイムチャネルに対して行った後に取得される、状態情報である、第2のチャネル状態受信ユニットとを備える、請求項1に記載の基地局。
【請求項５】
前記第2のチャネル状態情報獲得モジュールは、
シグナリング通知を前記ユーザ機器のセットのうちの前記ユーザ機器に送信するように構成される、シグナリング通知送信ユニットであって、前記シグナリング通知は、ユーザ固有のレベル2 RSを前記基地局に送信するように前記ユーザ機器のセットのうちの前記ユーザ機器に命令するために使用される、シグナリング通知送信ユニットと、
前記ユーザ機器のセットのうちの前記ユーザ機器によって送信された前記ユーザ固有のレベル2 RSを受信するように構成される、レベル2 RS受信ユニットと、
前記ユーザ固有のレベル2 RSに従って前記次元縮小したリアルタイムチャネルを測定して前記次元縮小したリアルタイムチャネルの前記状態情報を取得するように構成される、レベル2 RS測定ユニットとを備える、請求項1に記載の基地局。
【請求項６】
前記ユーザ固有のレベル2 RSは、前記チャネル部分空間の前記チャネル状態情報に対応する前記第1レベルのプリコーディングにより処理済みのユーザ固有のレベル2 RSである、請求項4または5に記載の基地局。
【請求項７】
前記データ送信モジュールは、
前記ダウンリンクデータを前記リアルタイムチャネルの前記状態情報に対応する前記第2レベルのプリコーディングと乗算し、その後、前記チャネル部分空間の前記チャネル状態情報に対応する前記第1レベルのプリコーディングと乗算し、前記乗算の結果を前記ユーザ機器のセットのうちの前記ユーザ機器に送信するように構成される、第1の処理および送信ユニットと、
前記ユーザ固有の復調基準信号を前記リアルタイムチャネルの前記状態情報に対応する前記第2レベルのプリコーディングと乗算し、その後、前記チャネル部分空間の前記チャネル状態情報に対応する前記第1レベルのプリコーディングと乗算し、前記乗算の結果を前記ユーザ機器のセットのうちの前記ユーザ機器に送信するように構成される、第2の処理および送信ユニットとを備える、請求項1から6のいずれか一項に記載の基地局。
【請求項８】
ユーザ機器であって、前記ユーザ機器は、スケジューリング対象のユーザ機器であるとともに、
基地局が次元縮小したチャネル部分空間のチャネル状態情報を獲得することができるように、前記基地局と協調してレベル1チャネル状態情報測定を完遂するように構成される、第1の測定協調モジュールであって、前記チャネル部分空間は、次元縮小を各スケジューリング対象のユーザ機器の統計的チャネル部分空間に対して行った後に取得したチャネル部分空間である、第1の測定協調モジュールと、
前記ユーザ機器が多入力多出力に関与するユーザ機器である場合には、前記基地局が次元縮小したリアルタイムチャネルの状態情報を獲得することができるように、前記基地局と協調してレベル2チャネル状態情報測定を完遂するように構成される、第2の測定協調モジュールと、
前記基地局によって送信されたダウンリンクデータおよびユーザ固有の復調基準信号を受信するように構成される、データ受信モジュールであって、前記ダウンリンクデータおよび前記ユーザ固有の復調基準信号は、2レベルプリコーディングにより処理された後に前記基地局によって送信されたデータであり、前記2レベルプリコーディングは、前記チャネル部分空間の前記チャネル状態情報に対応する第1レベルのプリコーディングおよび前記リアルタイムチャネルの前記状態情報に対応する第2レベルのプリコーディングを含む、データ受信モジュールとを備える、ユーザ機器。
【請求項９】
前記第1の測定協調モジュールは、
前記基地局によって送信されたセル固有のレベル1基準信号(RS)を受信するように構成される、レベル1 RS受信ユニットと、
前記セル固有のレベル1 RSに従って測定を行って対応するチャネル部分空間を取得し、次元縮小および量子化を前記チャネル部分空間に対して行って前記次元縮小したチャネル部分空間の前記チャネル状態情報を取得するように構成される、レベル1 RS測定ユニットと、
前記次元縮小したチャネル部分空間の前記チャネル状態情報を前記基地局にフィードバックするように構成される、第1のフィードバックユニットとを備える、請求項8に記載のユーザ機器。
【請求項１０】
前記第1の測定協調モジュールは、
ユーザ固有のレベル1 RSを前記基地局に送信するように構成される、レベル1 RS送信ユニットであって、前記ユーザ固有のレベル1 RSは、測定を行って前記次元縮小したチャネル部分空間の前記チャネル状態情報を取得するために前記基地局によって使用されるレベル1 RSである、レベル1 RS送信ユニットを備える、請求項8に記載のユーザ機器。
【請求項１１】
前記第2の測定協調モジュールは、
前記ユーザ機器が多入力多出力に関与するユーザ機器である場合には、前記基地局によって送信されたユーザ固有のレベル2 RSを受信するように構成される、レベル2 RS受信ユニットと、
前記ユーザ固有のレベル2 RSに従って測定および量子化を前記次元縮小したリアルタイムチャネルに対して行って前記次元縮小したリアルタイムチャネルの前記状態情報を取得するように構成される、レベル2 RS測定ユニットと、
前記次元縮小したリアルタイムチャネルの前記状態情報を前記基地局にフィードバックするように構成される、第2のフィードバックユニットとを備える、請求項8に記載のユーザ機器。
【請求項１２】
前記第2の測定協調モジュールは、
前記ユーザ機器が多入力多出力に関与するユーザ機器である場合には、前記基地局によって送信されたシグナリング通知を受信するように構成される、シグナリング通知受信ユニットであって、前記シグナリング通知は、ユーザ固有のレベル2 RSを前記基地局に送信するように前記ユーザ機器に命令するために使用される、シグナリング通知受信ユニットと、
前記ユーザ固有のレベル2 RSを前記基地局に送信するように構成される、レベル2 RS送信ユニットであって、前記ユーザ固有のレベル2 RSは、測定を行って前記次元縮小したリアルタイムチャネルの前記状態情報を取得するために前記基地局によって使用されるレベル2 RSである、レベル2 RS送信ユニットとを備える、請求項8に記載のユーザ機器。
【請求項１３】
前記ユーザ固有のレベル2 RSは、前記チャネル部分空間の前記チャネル状態情報に対応する前記第1レベルのプリコーディングにより処理済みのユーザ固有のレベル2 RSである、請求項11または12に記載のユーザ機器。
【請求項１４】
前記データ受信モジュールが前記基地局によって送信された前記ダウンリンクデータおよび前記ユーザ固有の復調基準信号を受信した後に、前記ユーザ固有の復調基準信号を復調し、データチャネルを推定し、前記ダウンリンクデータを復調するように構成される、復調モジュールをさらに備える、請求項8から13のいずれか一項に記載のユーザ機器。
【請求項１５】
基地局およびユーザ機器を含む、マルチアンテナデータ伝送システムであって、
前記基地局は、請求項1から7のいずれか一項に記載の基地局であり、
前記ユーザ機器は、請求項8から14のいずれか一項に記載のユーザ機器である、マルチアンテナデータ伝送システム。
【請求項１６】
マルチアンテナデータ伝送方法であって、
基地局によって、レベル1チャネル状態情報測定により次元縮小したチャネル部分空間のチャネル状態情報を獲得するステップであって、前記チャネル部分空間は、次元縮小を各スケジューリング対象のユーザ機器の統計的チャネル部分空間に対して行った後に取得したチャネル部分空間である、ステップと、
前記基地局によって、前記ユーザ機器をスケジューリングし、多入力多出力に関与するユーザ機器のセットを決定し、レベル2チャネル状態情報測定を前記ユーザ機器のセットのうちのユーザ機器に対して行って次元縮小したリアルタイムチャネルの状態情報を獲得するステップと、
前記基地局によって、2レベルプリコーディングによりダウンリンクデータおよびユーザ固有の復調基準信号を処理し、処理したダウンリンクデータおよび処理したユーザ固有の復調基準信号を前記ユーザ機器のセットのうちの前記ユーザ機器に送信するステップであって、前記2レベルプリコーディングは、前記チャネル部分空間の前記チャネル状態情報に対応する第1レベルのプリコーディングおよび前記リアルタイムチャネルの前記状態情報に対応する第2レベルのプリコーディングを含む、ステップとを含む、方法。
【請求項１７】
前記基地局によって、レベル1チャネル状態情報測定により次元縮小したチャネル部分空間のチャネル状態情報を獲得するステップは、
前記基地局によって、セル固有のレベル1基準信号(RS)を前記ユーザ機器に送信するステップと、
前記基地局によって、前記次元縮小したチャネル部分空間の、前記スケジューリング対象のユーザ機器によってフィードバックされた、前記チャネル状態情報を受信するステップであって、前記チャネル部分空間の前記チャネル状態情報は、前記チャネル部分空間の、前記スケジューリング対象のユーザ機器が前記セル固有のレベル1 RSに従って測定を行って対応するチャネル部分空間を取得するとともに次元縮小および量子化を前記チャネル部分空間に対して行った後に取得されるチャネル状態情報である、ステップとを含む、請求項16に記載の方法。
【請求項１８】
前記基地局によって、レベル1チャネル状態情報測定により次元縮小したチャネル部分空間のチャネル状態情報を獲得するステップは、
前記基地局によって、前記スケジューリング対象のユーザ機器によって送信されたユーザ固有のレベル1 RSを受信するステップと、
前記基地局によって、前記ユーザ固有のレベル1 RSを測定して前記スケジューリング対象のユーザ機器に対応するチャネル部分空間を取得し、次元縮小を前記チャネル部分空間に対して行って前記次元縮小したチャネル部分空間の前記チャネル状態情報を取得するステップとを含む、請求項16に記載の方法。
【請求項１９】
前記レベル2チャネル状態情報測定を前記ユーザ機器のセットのうちのユーザ機器に対して行って次元縮小したリアルタイムチャネルの状態情報を獲得するステップは、
前記基地局によって、ユーザ固有のレベル2 RSを前記ユーザ機器のセットのうちの前記ユーザ機器に送信するステップと、
前記基地局によって、前記次元縮小したリアルタイムチャネルの、前記ユーザ機器のセットのうちの前記ユーザ機器によってフィードバックされた、前記状態情報を受信するステップであって、前記次元縮小したリアルタイムチャネルの前記状態情報は、前記次元縮小したリアルタイムチャネルの、前記ユーザ機器のセットのうちの前記ユーザ機器が前記ユーザ固有のレベル2 RSに従って測定および量子化を前記次元縮小したリアルタイムチャネルに対して行った後に取得される、状態情報である、ステップとを含む、請求項16に記載の方法。
【請求項２０】
前記レベル2チャネル状態情報測定を前記ユーザ機器のセットのうちのユーザ機器に対して行って次元縮小したリアルタイムチャネルの状態情報を獲得するステップは、
前記基地局によって、シグナリング通知を前記ユーザ機器のセットのうちの前記ユーザ機器に送信するステップであって、前記シグナリング通知は、ユーザ固有のレベル2 RSを前記基地局に送信するように前記ユーザ機器のセットのうちの前記ユーザ機器に命令するために使用される、ステップと、
前記基地局によって、前記ユーザ機器のセットのうちの前記ユーザ機器によって送信された前記ユーザ固有のレベル2 RSを受信するステップと、
前記ユーザ固有のレベル2 RSに従って前記次元縮小したリアルタイムチャネルを測定して前記次元縮小したリアルタイムチャネルの前記状態情報を取得するステップとを含む、請求項16に記載の方法。
【請求項２１】
前記ユーザ固有のレベル2 RSは、前記チャネル部分空間の前記チャネル状態情報に対応する前記第1レベルのプリコーディングにより処理済みのユーザ固有のレベル2 RSである、請求項19または20に記載の方法。
【請求項２２】
前記基地局によって、2レベルプリコーディングによりダウンリンクデータおよびユーザ固有の復調基準信号を処理し、処理したダウンリンクデータおよび処理したユーザ固有の復調基準信号を前記ユーザ機器のセットのうちの前記ユーザ機器に送信するステップは、
前記基地局によって、前記ダウンリンクデータを前記リアルタイムチャネルの前記状態情報に対応する前記第2レベルのプリコーディングと乗算し、その後、前記チャネル部分空間の前記チャネル状態情報に対応する前記第1レベルのプリコーディングと乗算し、前記乗算の結果を前記ユーザ機器のセットのうちの前記ユーザ機器に送信するステップと、
前記基地局によって、前記ユーザ固有の復調基準信号を前記リアルタイムチャネルの前記状態情報に対応する前記第2レベルのプリコーディングと乗算し、その後、前記チャネル部分空間の前記チャネル状態情報に対応する前記第1レベルのプリコーディングと乗算し、前記乗算の結果を前記ユーザ機器のセットのうちの前記ユーザ機器に送信するステップとを含む、請求項16から21のいずれか一項に記載の方法。
【請求項２３】
マルチアンテナデータ伝送方法であって、
スケジューリング対象のユーザ機器によって、基地局が次元縮小したチャネル部分空間のチャネル状態情報を獲得することができるように、前記基地局と協調してレベル1チャネル状態情報測定を完遂するステップであって、前記チャネル部分空間は、次元縮小を各スケジューリング対象のユーザ機器の統計的チャネル部分空間に対して行った後に取得したチャネル部分空間である、ステップと、
多入力多出力に関与するユーザ機器によって、前記基地局が次元縮小したリアルタイムチャネルの状態情報を獲得することができるように、前記基地局と協調してレベル2チャネル状態情報測定を完遂するステップと、
多入力多出力に関与する前記ユーザ機器によって、前記基地局によって送信されたダウンリンクデータおよびユーザ固有の復調基準信号を受信するステップであって、前記ダウンリンクデータおよび前記ユーザ固有の復調基準信号は、2レベルプリコーディングにより処理された後に前記基地局によって送信されたデータであり、前記2レベルプリコーディングは、前記チャネル部分空間の前記チャネル状態情報に対応する第1レベルのプリコーディングおよび前記リアルタイムチャネルの前記状態情報に対応する第2レベルのプリコーディングを含む、ステップとを含む、方法。
【請求項２４】
前記スケジューリング対象のユーザ機器によって、前記基地局が次元縮小したチャネル部分空間のチャネル状態情報を獲得することができるように、基地局と協調してレベル1チャネル状態情報測定を完遂するステップは、
前記スケジューリング対象のユーザ機器によって、前記基地局によって送信されたセル固有のレベル1基準信号(RS)を受信するステップと、
前記セル固有のレベル1 RSに従って測定を行って対応するチャネル部分空間を取得し、次元縮小および量子化を前記チャネル部分空間に対して行って前記次元縮小したチャネル部分空間の前記チャネル状態情報を取得するステップと、
前記次元縮小したチャネル部分空間の前記チャネル状態情報を前記基地局にフィードバックするステップとを含む、請求項23に記載の方法。
【請求項２５】
前記スケジューリング対象のユーザ機器によって、前記基地局が次元縮小したチャネル部分空間のチャネル状態情報を獲得することができるように、基地局と協調してレベル1チャネル状態情報測定を完遂するステップは、
前記スケジューリング対象のユーザ機器によって、ユーザ固有のレベル1 RSを前記基地局に送信するステップであって、前記ユーザ固有のレベル1 RSは、測定を行って前記次元縮小したチャネル部分空間の前記チャネル状態情報を取得するために前記基地局によって使用されるレベル1 RSである、ステップを含む、請求項23に記載の方法。
【請求項２６】
前記多入力多出力に関与するユーザ機器によって、前記基地局が次元縮小したリアルタイムチャネルの状態情報を獲得することができるように、前記基地局と協調してレベル2チャネル状態情報測定を完遂するステップは、
多入力多出力に関与する前記ユーザ機器によって、前記基地局によって送信されたユーザ固有のレベル2 RSを受信するステップと、
前記ユーザ固有のレベル2 RSに従って測定および量子化を前記次元縮小したリアルタイムチャネルに対して行って前記次元縮小したリアルタイムチャネルの前記状態情報を取得するステップと、
前記次元縮小したリアルタイムチャネルの前記状態情報を前記基地局にフィードバックするステップとを含む、請求項23に記載の方法。
【請求項２７】
前記多入力多出力に関与するユーザ機器によって、前記基地局が次元縮小したリアルタイムチャネルの状態情報を獲得することができるように、前記基地局と協調してレベル2チャネル状態情報測定を完遂するステップは、
多入力多出力に関与する前記ユーザ機器によって、前記基地局によって送信されたシグナリング通知を受信するステップであって、前記シグナリング通知は、ユーザ固有のレベル2 RSを前記基地局に送信するように前記ユーザ機器に命令するために使用される、ステップと、
前記ユーザ固有のレベル2 RSを前記基地局に送信するステップであって、前記ユーザ固有のレベル2 RSは、測定を行って前記次元縮小したリアルタイムチャネルの前記状態情報を取得するために前記基地局によって使用されるレベル2 RSである、ステップとを含む、請求項23に記載の方法。
【請求項２８】
前記ユーザ固有のレベル2 RSは、前記チャネル部分空間の前記チャネル状態情報に対応する前記第1レベルのプリコーディングにより処理済みのユーザ固有のレベル2 RSである、請求項26または27に記載の方法。
【請求項２９】
前記多入力多出力に関与する前記ユーザ機器によって、前記基地局によって送信されたダウンリンクデータおよびユーザ固有の復調基準信号を受信するステップの後に、前記方法は、
前記ユーザ固有の復調基準信号を復調し、データチャネルを推定し、前記ダウンリンクデータを復調するステップをさらに含む、請求項23から28のいずれか一項に記載の方法。
【発明の詳細な説明】
【技術分野】
【０００１】
本発明は、通信分野に関し、詳細には、マルチアンテナデータ伝送方法、基地局、ユーザ機器、およびシステムに関する。
【背景技術】
【０００２】
3GPPロング・ターム・エボリューション/3GPPロング・ターム・エボリューション・アドバンスト(Long Term Evolution/Long Term Evolution Advanced、LTE/LTE-A)における、データ送信端におけるアンテナの数量の絶え間ない急速な増大にともない、サービスを受ける必要があるユーザ機器(User equipment、UE)の数量、すなわち、スケジューリング対象のUEの数量、も急速に増大している。アンテナの数量の増大は、より高い空間自由度を提供し得る、このことが、((Single-user Multiple-input Multiple-output、SU-MIMO)または(Multi-user Multiple-input Multiple-output、MU-MIMO)であり得る)ダウンリンク空間における複数のデータフローを多重化するための好ましい状況を創出している。
【０００３】
大規模アンテナによって提供され得る高い空間自由度を獲得するために、正確なプリコーディング(precoder)を獲得できるように、関連したチャネル状態情報(CSI)をデータ送信端(一般的には基地局である)によって獲得しなければならない。従来技術(例えば、LTE/LTE-A)において、MIMOが行われている場合には、データ送信端は、次の2つの方法を使用して、CSIを一般的に獲得する。
【０００４】
一方の方法においては、時分割複信(Time division duplexing、TDD)/周波数分割複信(Frequency division duplexing、FDD)のケースでは、データ送信端は、CSIダウンリンク測定のためのパイロットを送信し、データ受信端(一般的にはUEである)は、パイロットを測定してCSIを獲得し、その後、UEは、CSI(一般的には量子化されたCSIであり、LTEにおいてはPMI+RIである)をフィードバックし、データ送信端は、CSIを使用してプリコーディングをデータに対して行い、プリコーディングされたデータを送信する。他方の方法においては、TDDのケースでは、データ受信端は、CSIアップリンク測定のためのパイロット(例えば、LTE/LTE-AにおいてはSRS)を送信し、データ送信端は、アップリンクチャネルCSI測定を行い、データ送信端は、アップリンクチャネル測定がチャネル相互関係(必須の相互関係パラメータが修正に一般的に必要とされる)に準じたダウンリンクチャネルであるとみなし、その後、CSIに従ってリコーディングをデータに対して行い、プリコーディングされたデータを送信する。
【０００５】
ダウンリンクパイロットオーバーヘッドのボリュームは、データ送信端におけるアンテナの数量に比例し、アップリンクパイロットオーバーヘッドのボリュームも、サービス対象のUEの数量に比例し、アップリンクCSIフィードバックの数量も、データ送信端におけるアンテナの数量に比例する。したがって、データ送信端におけるアンテナの数量が非常に多いというわけではない場合(例えば、LTE/LTE-Aにおいては4/8個のアンテナ)には、パイロットオーバーヘッドおよびアップリンクCSIフィードバックの数量を制御することができる。しかしながら、アンテナの数量が比較的多い場合(スケジューリングされ得るUEの数量も増大する)には、アップリンクおよびダウンリンクパイロットオーバーヘッドならびにアップリンクCSIフィードバックの数量は、大量の時間-周波数リソースを占有する、このことが、データ伝送に利用可能な時間-周波数リソースを低減するとともに圧迫することになり、それによって、システムスループットに大きく影響を及ぼしてしまう。
【発明の概要】
【課題を解決するための手段】
【０００６】
本発明の実施形態が解決すべき技術的課題は、データ送信端におけるアンテナの数量が比較的多い(サービス対象のUEの数量も比較的多い)場合には、アップリンクおよびダウンリンクパイロットオーバーヘッドが大きくなるとともに、アップリンクCSIフィードバックの数量が多くなる、それによって、システムスループットを増大させてしまうという、従来技術における技術的課題を解決するためのマルチアンテナデータ伝送方法、基地局、ユーザ機器、およびシステムを提供することにある。
【０００７】
第1の態様によれば、基地局を提供しており、基地局は、
レベル1チャネル状態情報測定により次元縮小したチャネル部分空間のチャネル状態情報を獲得するように構成される、第1のチャネル状態情報獲得モジュールであって、チャネル部分空間は、次元縮小を各スケジューリング対象のユーザ機器の統計的チャネル部分空間に対して行った後に取得したチャネル部分空間である、第1のチャネル状態情報獲得モジュールと、
ユーザ機器をスケジューリングして、多入力多出力に関与するユーザ機器のセットを決定するように構成される、セット決定モジュールと、
レベル2チャネル状態情報測定をユーザ機器のセットのうちのユーザ機器に対して行って次元縮小したリアルタイムチャネルの状態情報を獲得するように構成される、第2のチャネル状態情報獲得モジュールと、
2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信するように構成される、データ送信モジュールであって、2レベルプリコーディングは、チャネル部分空間のチャネル状態情報に対応する第1レベルのプリコーディングおよびリアルタイムチャネルの状態情報に対応する第2レベルのプリコーディングを含む、データ送信モジュールとを備える。
【０００８】
第1の態様に準拠している、第1の可能な実施様態においては、第1のチャネル状態情報獲得モジュールは、
セル固有のレベル1基準信号RSをユーザ機器に送信するように構成される、レベル1 RS送信ユニットと、
次元縮小したチャネル部分空間の、スケジューリング対象のユーザ機器によってフィードバックされた、チャネル状態情報を受信するように構成される、第1のチャネル状態受信ユニットであって、チャネル部分空間のチャネル状態情報は、チャネル部分空間の、スケジューリング対象のユーザ機器がセル固有のレベル1 RSに従って測定を行って対応するチャネル部分空間を取得するとともに次元縮小および量子化をチャネル部分空間に対して行った後に取得されるチャネル状態情報である、第1のチャネル状態受信ユニットとを備える。
【０００９】
第1の態様に準拠している、第2の可能な実施様態においては、第1のチャネル状態情報獲得モジュールは、
スケジューリング対象のユーザ機器によって送信されたユーザ固有のレベル1 RSを受信するように構成される、レベル1 RS受信ユニットと、
ユーザ固有のレベル1 RSを測定してスケジューリング対象のユーザ機器に対応するチャネル部分空間を取得し、次元縮小をチャネル部分空間に対して行って次元縮小したチャネル部分空間のチャネル状態情報を取得するように構成される、レベル1 RS測定ユニットとを備える。
【００１０】
第1の態様に準拠している、第3の可能な実施様態においては、第2のチャネル状態情報獲得モジュールは、
ユーザ固有のレベル2 RSをユーザ機器のセットのうちのユーザ機器に送信するように構成される、レベル2 RS送信ユニットと、
次元縮小したリアルタイムチャネルの、ユーザ機器のセットのうちのユーザ機器によってフィードバックされた、状態情報を受信するように構成される、第2のチャネル状態受信ユニットであって、次元縮小したリアルタイムチャネルの状態情報は、次元縮小したリアルタイムチャネルの、ユーザ機器のセットのうちのユーザ機器がユーザ固有のレベル2 RSに従って測定および量子化を次元縮小したリアルタイムチャネルに対して行った後に取得される、状態情報である、第2のチャネル状態受信ユニットとを備える。
【００１１】
第1の態様に準拠している、第4の可能な実施様態においては、第2のチャネル状態情報獲得モジュールは、
シグナリング通知をユーザ機器のセットのうちのユーザ機器に送信するように構成される、シグナリング通知送信ユニットであって、シグナリング通知は、ユーザ固有のレベル2 RSを基地局に送信するようにユーザ機器のセットのうちのユーザ機器に命令するために使用される、シグナリング通知送信ユニットと、
ユーザ機器のセットのうちのユーザ機器によって送信されたユーザ固有のレベル2 RSを受信するように構成される、レベル2 RS受信ユニットと、
ユーザ固有のレベル2 RSに従って次元縮小したリアルタイムチャネルを測定して次元縮小したリアルタイムチャネルの状態情報を取得するように構成される、レベル2 RS測定ユニットとを備える。
【００１２】
第1の態様の第3の可能な実施様態または第1の態様の第4の可能な実施様態に準拠している、第5の可能な実施様態においては、ユーザ固有のレベル2 RSは、チャネル部分空間のチャネル状態情報に対応する第1レベルのプリコーディングにより処理済みのユーザ固有のレベル2 RSである。
【００１３】
第1の態様、または、第1の態様の第1の可能な実施様態、または、第1の態様の第2の可能な実施様態、または、第1の態様の第3の可能な実施様態、または、第1の態様の第4の可能な実施様態、または、第1の態様の第5の可能な実施様態に準拠している、第6の可能な実施様態においては、データ送信モジュールは、
ダウンリンクデータをリアルタイムチャネルの状態情報に対応する第2レベルのプリコーディングと乗算し、その後、チャネル部分空間のチャネル状態情報に対応する第1レベルのプリコーディングと乗算し、乗算の結果をユーザ機器のセットのうちのユーザ機器に送信するように構成される、第1の処理および送信ユニットと、
ユーザ固有の復調基準信号をリアルタイムチャネルの状態情報に対応する第2レベルのプリコーディングと乗算し、その後、チャネル部分空間のチャネル状態情報に対応する第1レベルのプリコーディングと乗算し、乗算の結果をユーザ機器のセットのうちのユーザ機器に送信するように構成される、第2の処理および送信ユニットとを備える。
【００１４】
第2の態様によれば、ユーザ機器を提供しており、ユーザ機器は、スケジューリング対象のユーザ機器であるとともに、
基地局が次元縮小したチャネル部分空間のチャネル状態情報を獲得することができるように、基地局と協調してレベル1チャネル状態情報測定を完遂するように構成される、第1の測定協調モジュールであって、チャネル部分空間は、次元縮小を各スケジューリング対象のユーザ機器の統計的チャネル部分空間に対して行った後に取得したチャネル部分空間である、第1の測定協調モジュールと、
ユーザ機器が多入力多出力に関与するユーザ機器である場合には、基地局が次元縮小したリアルタイムチャネルの状態情報を獲得することができるように、基地局と協調してレベル2チャネル状態情報測定を完遂するように構成される、第2の測定協調モジュールと、
基地局によって送信されたダウンリンクデータおよびユーザ固有の復調基準信号を受信するように構成される、データ受信モジュールであって、ダウンリンクデータおよびユーザ固有の復調基準信号は、2レベルプリコーディングにより処理された後に基地局によって送信されたデータであり、2レベルプリコーディングは、チャネル部分空間のチャネル状態情報に対応する第1レベルのプリコーディングおよびリアルタイムチャネルの状態情報に対応する第2レベルのプリコーディングを含む、データ受信モジュールとを備える。
【００１５】
第2の態様に準拠している、第1の可能な実施様態においては、第1の測定協調モジュールは、
基地局によって送信されたセル固有のレベル1基準信号RSを受信するように構成される、レベル1 RS受信ユニットと、
セル固有のレベル1 RSに従って測定を行って対応するチャネル部分空間を取得し、次元縮小および量子化をチャネル部分空間に対して行って次元縮小したチャネル部分空間のチャネル状態情報を取得するように構成される、レベル1 RS測定ユニットと、
次元縮小したチャネル部分空間のチャネル状態情報を基地局にフィードバックするように構成される、第1のフィードバックユニットとを備える。
【００１６】
第2の態様に準拠している、第2の可能な実施様態においては、第1の測定協調モジュールは、
ユーザ固有のレベル1 RSを基地局に送信するように構成される、レベル1 RS送信ユニットであって、ユーザ固有のレベル1 RSは、測定を行って次元縮小したチャネル部分空間のチャネル状態情報を取得するために基地局によって使用されるレベル1 RSである、レベル1 RS送信ユニットを備える。
【００１７】
第2の態様に準拠している、第3の可能な実施様態においては、第2の測定協調モジュールは、
ユーザ機器が多入力多出力に関与するユーザ機器である場合には、基地局によって送信されたユーザ固有のレベル2 RSを受信するように構成される、レベル2 RS受信ユニットと、
ユーザ固有のレベル2 RSに従って測定および量子化を次元縮小したリアルタイムチャネルに対して行って次元縮小したリアルタイムチャネルの状態情報を取得するように構成される、レベル2 RS測定ユニットと、
次元縮小したリアルタイムチャネルの状態情報を基地局にフィードバックするように構成される、第2のフィードバックユニットとを備える。
【００１８】
第2の態様に準拠している、第4の可能な実施様態においては、第2の測定協調モジュールは、
ユーザ機器が多入力多出力に関与するユーザ機器である場合には、基地局によって送信されたシグナリング通知を受信するように構成される、シグナリング通知受信ユニットであって、シグナリング通知は、ユーザ固有のレベル2 RSを基地局に送信するようにユーザ機器に命令するために使用される、シグナリング通知受信ユニットと、
ユーザ固有のレベル2 RSを基地局に送信するように構成される、レベル2 RS送信ユニットであって、ユーザ固有のレベル2 RSは、測定を行って次元縮小したリアルタイムチャネルの状態情報を取得するために基地局によって使用されるレベル2 RSである、レベル2 RS送信ユニットとを備える。
【００１９】
第2の態様の第3の可能な実施様態または第2の態様の第4の可能な実施様態に準拠している、第5の可能な実施様態においては、ユーザ固有のレベル2 RSは、チャネル部分空間のチャネル状態情報に対応する第1レベルのプリコーディングにより処理済みのユーザ固有のレベル2 RSである。
【００２０】
第2の態様、または、第2の態様の第1の可能な実施様態、または、第2の態様の第2の可能な実施様態、または、第2の態様の第3の可能な実施様態、または、第2の態様の第4の可能な実施様態、または、第2の態様の第5の可能な実施様態に準拠している、第6の可能な実施様態においては、ユーザ機器は、
データ受信モジュールが基地局によって送信されたダウンリンクデータおよびユーザ固有の復調基準信号を受信した後に、ユーザ固有の復調基準信号を復調し、データチャネルを推定し、ダウンリンクデータを復調するように構成される、復調モジュールをさらに備える。
【００２１】
第3の態様によれば、基地局およびユーザ機器を含む、マルチアンテナデータ伝送システムを提供しており、
基地局は、第1の態様、または、第1の態様の第1の可能な実施様態、または、第1の態様の第2の可能な実施様態、または、第1の態様の第3の可能な実施様態、または、第1の態様の第4の可能な実施様態、または、第1の態様の第5の可能な実施様態、または、第1の態様の第6の可能な実施様態に準拠している基地局であり、
ユーザ機器は、第2の態様、または、第2の態様の第1の可能な実施様態、または、第2の態様の第2の可能な実施様態、または、第2の態様の第3の可能な実施様態、または、第2の態様の第4の可能な実施様態、または、第2の態様の第5の可能な実施様態、または、第2の態様の第6の可能な実施様態に準拠しているユーザ機器である。
【００２２】
第4の態様によれば、マルチアンテナデータ伝送方法を提供しており、マルチアンテナデータ伝送システムは、
基地局によって、レベル1チャネル状態情報測定により次元縮小したチャネル部分空間のチャネル状態情報を獲得するステップであって、チャネル部分空間は、次元縮小を各スケジューリング対象のユーザ機器の統計的チャネル部分空間に対して行った後に取得したチャネル部分空間である、ステップと、
基地局によって、ユーザ機器をスケジューリングし、多入力多出力に関与するユーザ機器のセットを決定し、レベル2チャネル状態情報測定をユーザ機器のセットのうちのユーザ機器に対して行って次元縮小したリアルタイムチャネルの状態情報を獲得するステップと、
基地局によって、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信するステップであって、2レベルプリコーディングは、チャネル部分空間のチャネル状態情報に対応する第1レベルのプリコーディングおよびリアルタイムチャネルの状態情報に対応する第2レベルのプリコーディングを含む、ステップとを含む。
【００２３】
第4の態様に準拠している、第1の可能な実施様態においては、基地局によって、レベル1チャネル状態情報測定により次元縮小したチャネル部分空間のチャネル状態情報を獲得するステップは、
基地局によって、セル固有のレベル1基準信号RSをユーザ機器に送信するステップと、
基地局によって、次元縮小したチャネル部分空間の、スケジューリング対象のユーザ機器によってフィードバックされた、チャネル状態情報を受信するステップであって、チャネル部分空間のチャネル状態情報は、チャネル部分空間の、スケジューリング対象のユーザ機器がセル固有のレベル1 RSに従って測定を行って対応するチャネル部分空間を取得するとともに次元縮小および量子化をチャネル部分空間に対して行った後に取得されるチャネル状態情報である、ステップとを含む。
【００２４】
第4の態様に準拠している、第2の可能な実施様態においては、基地局によって、レベル1チャネル状態情報測定により次元縮小したチャネル部分空間のチャネル状態情報を獲得するステップは、
基地局によって、スケジューリング対象のユーザ機器によって送信されたユーザ固有のレベル1 RSを受信するステップと、
基地局によって、ユーザ固有のレベル1 RSを測定してスケジューリング対象のユーザ機器に対応するチャネル部分空間を取得し、次元縮小をチャネル部分空間に対して行って次元縮小したチャネル部分空間のチャネル状態情報を取得するステップとを含む。
【００２５】
第4の態様に準拠している、第3の可能な実施様態においては、レベル2チャネル状態情報測定をユーザ機器のセットのうちのユーザ機器に対して行って次元縮小したリアルタイムチャネルの状態情報を獲得するステップは、
基地局によって、ユーザ固有のレベル2 RSをユーザ機器のセットのうちのユーザ機器に送信するステップと、
基地局によって、次元縮小したリアルタイムチャネルの、ユーザ機器のセットのうちのユーザ機器によってフィードバックされた、状態情報を受信するステップであって、次元縮小したリアルタイムチャネルの状態情報は、次元縮小したリアルタイムチャネルの、ユーザ機器のセットのうちのユーザ機器がユーザ固有のレベル2 RSに従って測定および量子化を次元縮小したリアルタイムチャネルに対して行った後に取得される、状態情報である、ステップとを含む。
【００２６】
第4の態様に準拠している、第4の可能な実施様態においては、レベル2チャネル状態情報測定をユーザ機器のセットのうちのユーザ機器に対して行って次元縮小したリアルタイムチャネルの状態情報を獲得するステップは、
基地局によって、シグナリング通知をユーザ機器のセットのうちのユーザ機器に送信するステップであって、シグナリング通知は、ユーザ固有のレベル2 RSを基地局に送信するようにユーザ機器のセットのうちのユーザ機器に命令するために使用される、ステップと、
基地局によって、ユーザ機器のセットのうちのユーザ機器によって送信されたユーザ固有のレベル2 RSを受信するステップと、
ユーザ固有のレベル2 RSに従って次元縮小したリアルタイムチャネルを測定して次元縮小したリアルタイムチャネルの状態情報を取得するステップとを含む。
【００２７】
第4の態様の第3の可能な実施様態または第4の態様の第4の可能な実施様態に準拠している、第5の可能な実施様態においては、ユーザ固有のレベル2 RSは、チャネル部分空間のチャネル状態情報に対応する第1レベルのプリコーディングにより処理済みのユーザ固有のレベル2 RSである。
【００２８】
第4の態様、または、第4の態様の第1の可能な実施様態、または、第4の態様の第2の可能な実施様態、または、第4の態様の第3の可能な実施様態、または、第4の態様の第4の可能な実施様態、または、第4の態様の第5の可能な実施様態に準拠している、第6の可能な実施様態においては、基地局によって、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信するステップは、
基地局によって、ダウンリンクデータをリアルタイムチャネルの状態情報に対応する第2レベルのプリコーディングと乗算し、その後、チャネル部分空間のチャネル状態情報に対応する第1レベルのプリコーディングと乗算し、乗算の結果をユーザ機器のセットのうちのユーザ機器に送信するステップと、
基地局によって、ユーザ固有の復調基準信号をリアルタイムチャネルの状態情報に対応する第2レベルのプリコーディングと乗算し、その後、チャネル部分空間のチャネル状態情報に対応する第1レベルのプリコーディングと乗算し、乗算の結果をユーザ機器のセットのうちのユーザ機器に送信するステップとを含む。
【００２９】
第5の態様によれば、マルチアンテナデータ伝送方法を提供しており、マルチアンテナデータ伝送方法は、
スケジューリング対象のユーザ機器によって、基地局が次元縮小したチャネル部分空間のチャネル状態情報を獲得することができるように、基地局と協調してレベル1チャネル状態情報測定を完遂するステップであって、チャネル部分空間は、次元縮小を各スケジューリング対象のユーザ機器の統計的チャネル部分空間に対して行った後に取得したチャネル部分空間である、ステップと、
多入力多出力に関与するユーザ機器によって、基地局が次元縮小したリアルタイムチャネルの状態情報を獲得することができるように、基地局と協調してレベル2チャネル状態情報測定を完遂するステップと、
多入力多出力に関与するユーザ機器によって、基地局によって送信されたダウンリンクデータおよびユーザ固有の復調基準信号を受信するステップであって、ダウンリンクデータおよびユーザ固有の復調基準信号は、2レベルプリコーディングにより処理された後に基地局によって送信されたデータであり、2レベルプリコーディングは、チャネル部分空間のチャネル状態情報に対応する第1レベルのプリコーディングおよびリアルタイムチャネルの状態情報に対応する第2レベルのプリコーディングを含む、ステップとを含む。
【００３０】
第5の態様に準拠している、第1の可能な実施様態においては、スケジューリング対象のユーザ機器によって、基地局が次元縮小したチャネル部分空間のチャネル状態情報を獲得することができるように、基地局と協調してレベル1チャネル状態情報測定を完遂するステップは、
スケジューリング対象のユーザ機器によって、基地局によって送信されたセル固有のレベル1基準信号RSを受信するステップと、
セル固有のレベル1 RSに従って測定を行って対応するチャネル部分空間を取得し、次元縮小および量子化をチャネル部分空間に対して行って次元縮小したチャネル部分空間のチャネル状態情報を取得するステップと、
次元縮小したチャネル部分空間のチャネル状態情報を基地局にフィードバックするステップとを含む。
【００３１】
第5の態様に準拠している、第2の可能な実施様態においては、スケジューリング対象のユーザ機器によって、基地局が次元縮小したチャネル部分空間のチャネル状態情報を獲得することができるように、基地局と協調してレベル1チャネル状態情報測定を完遂するステップは、
スケジューリング対象のユーザ機器によって、ユーザ固有のレベル1 RSを基地局に送信するステップであって、ユーザ固有のレベル1 RSは、測定を行って次元縮小したチャネル部分空間のチャネル状態情報を取得するために基地局によって使用されるレベル1 RSである、ステップを含む。
【００３２】
第5の態様に準拠している、第3の可能な実施様態においては、多入力多出力に関与するユーザ機器によって、基地局が次元縮小したリアルタイムチャネルの状態情報を獲得することができるように、基地局と協調してレベル1チャネル状態情報測定を完遂するステップは、
多入力多出力に関与するユーザ機器によって、基地局によって送信されたユーザ固有のレベル2 RSを受信するステップと、
ユーザ固有のレベル2 RSに従って測定および量子化を次元縮小したリアルタイムチャネルに対して行って次元縮小したリアルタイムチャネルの状態情報を取得するステップと、
次元縮小したリアルタイムチャネルの状態情報を基地局にフィードバックするステップとを含む。
【００３３】
第5の態様に準拠している、第4の可能な実施様態においては、多入力多出力に関与するユーザ機器によって、基地局が次元縮小したリアルタイムチャネルの状態情報を獲得することができるように、基地局と協調してレベル2チャネル状態情報測定を完遂するステップは、
多入力多出力に関与するユーザ機器によって、基地局によって送信されたシグナリング通知を受信するステップであって、シグナリング通知は、ユーザ固有のレベル2 RSを基地局に送信するようにユーザ機器に命令するために使用される、ステップと、
ユーザ固有のレベル2 RSを基地局に送信するステップであって、ユーザ固有のレベル2 RSは、測定を行って次元縮小したリアルタイムチャネルの状態情報を取得するために基地局によって使用されるレベル2 RSである、ステップとを含む。
【００３４】
第5の態様の第3の可能な実施様態または第5の態様の第4の可能な実施様態に準拠している、第5の可能な実施様態においては、ユーザ固有のレベル2 RSは、チャネル部分空間のチャネル状態情報に対応する第1レベルのプリコーディングにより処理済みのユーザ固有のレベル2 RSである。
【００３５】
第5の態様、または、第5の態様の第1の可能な実施様態、または、第5の態様の第2の可能な実施様態、または、第5の態様の第3の可能な実施様態、または、第5の態様の第4の可能な実施様態、または、第5の態様の第5の可能な実施様態に準拠している、第6の可能な実施様態においては、多入力多出力に関与するユーザ機器によって、基地局によって送信されたダウンリンクデータおよびユーザ固有の復調基準信号を受信するステップの後に、方法は、
ユーザ固有の復調基準信号を復調し、データチャネルを推定し、ダウンリンクデータを復調するステップをさらに含む。
【００３６】
第6の態様によれば、入力装置、出力装置、メモリ、およびプロセッサを備える、基地局を提供しており、
メモリは、プログラムコードを記憶するように構成され、プロセッサは、メモリに記憶されているプログラムコードを呼び出して、
レベル1チャネル状態情報測定により次元縮小したチャネル部分空間のチャネル状態情報を獲得するステップであって、チャネル部分空間は、次元縮小を各スケジューリング対象のユーザ機器の統計的チャネル部分空間に対して行った後に取得したチャネル部分空間である、ステップと、ユーザ機器をスケジューリングし、多入力多出力に関与するユーザ機器のセットを決定し、レベル2チャネル状態情報測定をユーザ機器のセットのうちのユーザ機器に対して行って次元縮小したリアルタイムチャネルの状態情報を獲得するステップと、2レベルプリコーディングによりダウンリンクデータおよびユーザ固有の復調基準信号を処理し、出力装置を使用して、処理したダウンリンクデータおよび処理したユーザ固有の復調基準信号をユーザ機器のセットのうちのユーザ機器に送信するステップであって、2レベルプリコーディングは、チャネル部分空間のチャネル状態情報に対応する第1レベルのプリコーディングおよびリアルタイムチャネルの状態情報に対応する第2レベルのプリコーディングを含む、ステップとを実行するように構成される。
【００３７】
第6の態様に準拠している、第1の可能な実施様態においては、プロセッサがレベル1チャネル状態情報測定により次元縮小したチャネル部分空間のチャネル状態情報を獲得するということは、
出力装置を使用して、セル固有のレベル1基準信号RSをユーザ機器に送信するステップと、入力装置を使用して、次元縮小したチャネル部分空間の、スケジューリング対象のユーザ機器によってフィードバックされた、チャネル状態情報を受信するステップであって、チャネル部分空間のチャネル状態情報は、チャネル部分空間の、スケジューリング対象のユーザ機器がセル固有のレベル1 RSに従って測定を行って対応するチャネル部分空間を取得するとともに次元縮小および量子化をチャネル部分空間に対して行った後に取得されるチャネル状態情報である、ステップとを含む。
【００３８】
第6の態様に準拠している、第2の可能な実施様態においては、プロセッサがレベル1チャネル状態情報測定により次元縮小したチャネル部分空間のチャネル状態情報を獲得するということは、
入力装置を使用して、スケジューリング対象のユーザ機器によって送信されたユーザ固有のレベル1 RSを受信するステップと、ユーザ固有のレベル1 RSを測定してスケジューリング対象のユーザ機器に対応するチャネル部分空間を取得し、次元縮小をチャネル部分空間に対して行って次元縮小したチャネル部分空間のチャネル状態情報を取得するステップとを含む。
【００３９】
第6の態様に準拠している、第3の可能な実施様態においては、プロセッサがレベル2チャネル状態情報測定をユーザ機器のセットのうちのユーザ機器に対して行って次元縮小したリアルタイムチャネルの状態情報を獲得するということは、
出力装置を使用して、ユーザ固有のレベル2 RSをユーザ機器のセットのうちのユーザ機器に送信するステップと、入力装置を使用して、次元縮小したリアルタイムチャネルの、ユーザ機器のセットのうちのユーザ機器によってフィードバックされた、状態情報を受信するステップであって、次元縮小したリアルタイムチャネルの状態情報は、次元縮小したリアルタイムチャネルの、ユーザ機器のセットのうちのユーザ機器がユーザ固有のレベル2 RSに従って測定および量子化を次元縮小したリアルタイムチャネルに対して行った後に取得される、状態情報である、ステップとを含む。
【００４０】
第6の態様に準拠している、第4の可能な実施様態においては、プロセッサがレベル2チャネル状態情報測定をユーザ機器のセットのうちのユーザ機器に対して行って次元縮小したリアルタイムチャネルの状態情報を獲得するということは、
出力装置を使用して、シグナリング通知をユーザ機器のセットのうちのユーザ機器に送信するステップであって、シグナリング通知は、ユーザ固有のレベル2 RSを基地局に送信するようにユーザ機器のセットのうちのユーザ機器に命令するために使用される、ステップと、入力装置を使用して、ユーザ機器のセットのうちのユーザ機器によって送信されたユーザ固有のレベル2 RSを受信するステップと、ユーザ固有のレベル2 RSに従って次元縮小したリアルタイムチャネルを測定して次元縮小したリアルタイムチャネルの状態情報を取得するステップとを含む。
【００４１】
第6の態様の第3の可能な実施様態または第6の態様の第4の可能な実施様態に準拠している、第5の可能な実施様態においては、ユーザ固有のレベル2 RSは、チャネル部分空間のチャネル状態情報に対応する第1レベルのプリコーディングにより処理済みのユーザ固有のレベル2 RSである。
【００４２】
第6の態様、または、第6の態様の第1の可能な実施様態、または、第6の態様の第2の可能な実施様態、または、第6の態様の第3の可能な実施様態、または、第6の態様の第4の可能な実施様態、または、第6の態様の第5の可能な実施様態に準拠している、第6の可能な実施様態においては、プロセッサが、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信するということは、
ダウンリンクデータをリアルタイムチャネルの状態情報に対応する第2レベルのプリコーディングと乗算し、その後、チャネル部分空間のチャネル状態情報に対応する第1レベルのプリコーディングと乗算し、出力装置を使用して、乗算の結果をユーザ機器のセットのうちのユーザ機器に送信するステップと、ユーザ固有の復調基準信号をリアルタイムチャネルの状態情報に対応する第2レベルのプリコーディングと乗算し、その後、チャネル部分空間のチャネル状態情報に対応する第1レベルのプリコーディングと乗算し、出力装置を使用して、乗算の結果をユーザ機器のセットのうちのユーザ機器に送信するステップとを含む。
【００４３】
第7の態様によれば、スケジューリング対象のユーザ機器であるとともに、入力装置、出力装置、メモリ、およびプロセッサを備える、ユーザ機器を提供しており、
メモリは、プログラムコードを記憶するように構成され、プロセッサは、メモリに記憶されているプログラムコードを呼び出して、
基地局が次元縮小したチャネル部分空間のチャネル状態情報を獲得することができるように、基地局と協調してレベル1チャネル状態情報測定を完遂するステップであって、チャネル部分空間は、次元縮小を各スケジューリング対象のユーザ機器の統計的チャネル部分空間に対して行った後に取得したチャネル部分空間である、ステップと、ユーザ機器が多入力多出力に関与するユーザ機器である場合には、基地局が次元縮小したリアルタイムチャネルの状態情報を獲得することができるように、基地局と協調してレベル2チャネル状態情報測定を完遂するステップと、入力装置を使用して、基地局によって送信されたダウンリンクデータおよびユーザ固有の復調基準信号を受信するステップであって、ダウンリンクデータおよびユーザ固有の復調基準信号は、2レベルプリコーディングにより処理された後に基地局によって送信されたデータであり、2レベルプリコーディングは、チャネル部分空間のチャネル状態情報に対応する第1レベルのプリコーディングおよびリアルタイムチャネルの状態情報に対応する第2レベルのプリコーディングを含む、ステップとを実行するように構成される。
【００４４】
第7の態様に準拠している、第1の可能な実施様態においては、プロセッサが、基地局が次元縮小したチャネル部分空間のチャネル状態情報を獲得することができるように、基地局と協調してレベル1チャネル状態情報測定を完遂するということは、
入力装置を使用して、基地局によって送信されたセル固有のレベル1基準信号RSを受信するステップと、セル固有のレベル1 RSに従って測定を行って対応するチャネル部分空間を取得し、次元縮小および量子化をチャネル部分空間に対して行って次元縮小したチャネル部分空間のチャネル状態情報を取得するステップと、出力装置を使用して、次元縮小したチャネル部分空間のチャネル状態情報を基地局にフィードバックするステップとを含む。
【００４５】
第7の態様に準拠している、第2の可能な実施様態においては、プロセッサが、基地局が次元縮小したチャネル部分空間のチャネル状態情報を獲得することができるように、基地局と協調してレベル1チャネル状態情報測定を完遂するということは、
出力装置を使用して、ユーザ固有のレベル1 RSを基地局に送信するステップであって、ユーザ固有のレベル1 RSは、測定を行って次元縮小したチャネル部分空間のチャネル状態情報を取得するために基地局によって使用されるレベル1 RSである、ステップを含む。
【００４６】
第7の態様に準拠している、第3の可能な実施様態においては、プロセッサが、基地局が次元縮小したリアルタイムチャネルの状態情報を獲得することができるように、基地局と協調してレベル2チャネル状態情報測定を完遂するということは、
入力装置を使用して、基地局によって送信されたユーザ固有のレベル2 RSを受信するステップと、ユーザ固有のレベル2 RSに従って測定および量子化を次元縮小したリアルタイムチャネルに対して行って次元縮小したリアルタイムチャネルの状態情報を取得するステップと、出力装置を使用して、次元縮小したリアルタイムチャネルの状態情報を基地局にフィードバックするステップとを含む。
【００４７】
第7の態様に準拠している、第4の可能な実施様態においては、プロセッサが、基地局が次元縮小したリアルタイムチャネルの状態情報を獲得することができるように、基地局と協調してレベル2チャネル状態情報測定を完遂するということは、
入力装置を使用して、基地局によって送信されたシグナリング通知を受信するステップであって、シグナリング通知は、ユーザ固有のレベル2 RSを基地局に送信するようにユーザ機器に命令するために使用される、ステップと、出力装置を使用してユーザ固有のレベル2 RSを基地局に送信するステップであって、ユーザ固有のレベル2 RSは、測定を行って次元縮小したリアルタイムチャネルの状態情報を取得するために基地局によって使用されるレベル2 RSである、ステップとを含む。
【００４８】
第7の態様の第3の可能な実施様態または第7の態様の第4の可能な実施様態に準拠している、第5の可能な実施様態においては、ユーザ固有のレベル2 RSは、チャネル部分空間のチャネル状態情報に対応する第1レベルのプリコーディングにより処理済みのユーザ固有のレベル2 RSである。
【００４９】
第7の態様、または、第7の態様の第1の可能な実施様態、または、第7の態様の第2の可能な実施様態、または、第7の態様の第3の可能な実施様態、または、第7の態様の第4の可能な実施様態、または、第7の態様の第5の可能な実施様態に準拠している、第6の可能な実施様態においては、基地局によって送信されたダウンリンクデータおよびユーザ固有の復調基準信号を受信するステップの後に、プロセッサは、
ユーザ固有の復調基準信号を復調し、データチャネルを推定し、ダウンリンクデータを復調するステップをさらに実行する。
【００５０】
第8の態様によれば、基地局およびユーザ機器を含む、ネットワークシステムを提供しており、
基地局は、第6の態様、または、第6の態様の第1の可能な実施様態、または、第6の態様の第2の可能な実施様態、または、第6の態様の第3の可能な実施様態、または、第6の態様の第4の可能な実施様態、または、第6の態様の第5の可能な実施様態、または、第6の態様の第6の可能な実施様態に準拠している基地局であり、
ユーザ機器は、第7の態様、または、第7の態様の第1の可能な実施様態、または、第7の態様の第2の可能な実施様態、または、第7の態様の第3の可能な実施様態、または、第7の態様の第4の可能な実施様態、または、第7の態様の第5の可能な実施様態、または、第7の態様の第6の可能な実施様態に準拠しているユーザ機器である。
【００５１】
本発明の実施形態を実施することによって、次元縮小したチャネル部分空間のチャネル状態情報がレベル1チャネル状態情報測定により獲得され、レベル2チャネル状態情報測定が次元縮小したリアルタイムチャネルの状態情報を獲得するためにユーザ機器のセットのうちのユーザ機器に対して行われ、ダウンリンクデータおよびユーザ固有の復調基準信号が2レベルプリコーディングにより処理され、処理されたダウンリンクデータおよび処理したユーザ固有の復調基準信号が送信される、このことが、データ送信端におけるアンテナの数量が比較的多い(サービス対象のUEの数量も比較的多い)場合には、アップリンクおよびダウンリンクパイロットオーバーヘッドが大きくなるとともに、アップリンクCSIフィードバックの数量が多くなるという従来技術における技術的課題を解決している、その結果、システムにおいてより多くの時間-周波数リソースがデータ伝送に利用可能となり、それによって、システムスループットを効率的に増大させている。加えて、チャネル次元縮小により、従来技術のシステムにおけるベースバンド処理において複雑度が高いという問題も解決することができ、それによって、ベースバンド処理能力についての要件を低減している。
【００５２】
本発明の実施形態または従来技術における技術的解決手法をより明確に説明するために、実施形態または従来技術を説明するために必要となる添付の図面を以下に簡潔に説明する。以下の説明における添付の図面が本発明の一部の実施形態を示しているにすぎず、当業者が創造的努力なしにこれらの添付の図面から他の図面をさらに導出し得ることは明らかであろう。
【図面の簡単な説明】
【００５３】
【図１】本発明の実施形態による、マルチアンテナデータ伝送方法の概略フローチャートである。
【図２】本発明による、マルチアンテナデータ伝送方法の別の実施形態の概略フローチャートである。
【図３】本発明による、マルチアンテナデータ伝送方法の別の実施形態の概略フローチャートである。
【図４】本発明による、マルチアンテナデータ伝送方法の別の実施形態の概略フローチャートである。
【図５】本発明による、マルチアンテナデータ伝送方法の別の実施形態の概略フローチャートである。
【図６】本発明による、2レベルプリコーディング構造の概略図である。
【図７】本発明による、マルチアンテナデータ伝送方法の別の実施形態の概略フローチャートである。
【図８】本発明におけるシステムパフォーマンスと理想的なシステムパフォーマンスとの間の比較のデータ効果図である。
【図９】本発明におけるシステムパフォーマンスと理想的なシステムパフォーマンスとの間の比較の別のデータ効果図である。
【図１０】本発明におけるシステムパフォーマンスと理想的なシステムパフォーマンスとの間の比較の別のデータ効果図である。
【図１１】本発明におけるシステムパフォーマンスと理想的なシステムパフォーマンスとの間の比較の別のデータ効果図である。
【図１２】本発明におけるシステムパフォーマンスと理想的なシステムパフォーマンスとの間の比較の別のデータ効果図である。
【図１３】本発明におけるシステムパフォーマンスと理想的なシステムパフォーマンスとの間の比較の別のデータ効果図である。
【図１４】本発明の実施形態による、基地局の概略構造図である。
【図１５】本発明による、第1のチャネル状態情報獲得モジュールの概略構造図である。
【図１６】本発明による、第1のチャネル状態情報獲得モジュールの別の実施形態の概略構造図である。
【図１７】本発明による、第2のチャネル状態情報獲得モジュールの概略構造図である。
【図１８】本発明による、第2のチャネル状態情報獲得モジュールの別の実施形態の概略構造図である。
【図１９】本発明による、データ送信モジュールの概略構造図である。
【図２０】本発明による、ユーザ機器の概略構造図である。
【図２１】本発明による、第1の測定協調モジュールの概略構造図である。
【図２２】本発明による、第2の測定協調モジュールの概略構造図である。
【図２３】本発明による、第2の測定協調モジュールの別の実施形態の概略構造図である。
【図２４】本発明による、ユーザ機器の別の実施形態の概略構造図である。
【図２５】本発明による、マルチアンテナデータ伝送システムの概略構造図である。
【図２６】本発明による、基地局の別の実施形態の概略構造図である。
【図２７】本発明による、ユーザ機器の別の実施形態の概略構造図である。
【図２８】本発明による、ネットワークシステムの概略構造図である。
【発明を実施するための形態】
【００５４】
本発明の実施形態における添付の図面を参照して、本発明の実施形態における技術的解決手法を以下に明確かつ完全に説明する。説明した実施形態が本発明の実施形態のすべてではなく一部にすぎないことは明らかであろう。創造的努力なしに本発明の実施形態に基づいて当業者によって得られる他の実施形態のすべては、本発明の保護範囲に含まれるものとする。
【００５５】
図1を参照すれば、図1は、本発明の実施形態による、マルチアンテナデータ伝送方法の概略フローチャートである。データ送信端(すなわち、ネットワーク基地局側)の観点で説明すれば、方法は、以下のステップを含む。
【００５６】
ステップS100: 基地局が、レベル1チャネル状態情報測定により次元縮小したチャネル部分空間のチャネル状態情報を獲得する、ここで、チャネル部分空間は、次元縮小を各スケジューリング対象のユーザ機器の統計的チャネル部分空間に対して行った後に取得したチャネル部分空間である。
【００５７】
ステップS102: 基地局が、ユーザ機器をスケジューリングし、多入力多出力に関与するユーザ機器のセットを決定し、レベル2チャネル状態情報測定をユーザ機器のセットのうちのユーザ機器に対して行って次元縮小したリアルタイムチャネルの状態情報を獲得する。
【００５８】
ステップS104: 基地局が、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信する、ここで、2レベルプリコーディングは、チャネル部分空間のチャネル状態情報に対応する第1レベルのプリコーディングおよびリアルタイムチャネルの状態情報に対応する第2レベルのプリコーディングを含む。
【００５９】
特に、基地局がレベル1チャネル状態情報測定により次元縮小したチャネル部分空間のチャネル状態情報を獲得するステップS100のプロセスにおいて、時間-周波数密度は低く、基地局が次元縮小したリアルタイムチャネルの状態情報を獲得するステップS102のプロセスにおいては、時間-周波数密度は高いが、測定は多入力多出力に関与するユーザ機器のセットのうちのユーザ機器のみに対して行われており、UEの数量は限定されている、その結果として、ステップS104に準拠した2レベルプリコーディングを用いてデータ処理が行われた後に送信が行われる、このことが、データ送信端におけるアンテナの数量が比較的多い(サービス対象のUEの数量も比較的多い)場合には、アップリンクおよびダウンリンクパイロットオーバーヘッドが大きくなるとともに、アップリンクCSIフィードバックの数量が多くなるという従来技術における技術的課題を解決している、その結果、システムにおいてより多くの時間-周波数リソースがデータ伝送に利用可能となり、それによって、システムスループットを効率的に増大させている。
【００６０】
さらに、図2から図5を参照すれば、データ送信端およびデータ受信端の両方の観点で、以下に4つの実施形態を使用して本発明におけるマルチアンテナデータ伝送方法の技術的解決手法を詳細に説明する。
【００６１】
図2に示したように、図2は、本発明による、マルチアンテナデータ伝送方法の別の実施形態の概略フローチャートである。TDDシナリオおよびFDDシナリオが本実施形態で使用されており、方法は、以下のステップを含む。
【００６２】
ステップS200: 基地局が、セル固有のレベル1基準信号RSをユーザ機器に送信する。
【００６３】
特に、セル固有のレベル1基準信号RSが送信されるため、ステップS200を実行する際の時間-周波数密度は非常に低い。
【００６４】
ステップS202: 基地局によって送信されたセル固有のレベル1 RSを受信した後に、スケジューリング対象のユーザ機器が、セル固有のレベル1 RSに従って測定を行って対応するチャネル部分空間を取得し、次元縮小および量子化をチャネル部分空間に対して行って次元縮小したチャネル部分空間のチャネル状態情報を取得する。
【００６５】
特に、スケジューリング対象のユーザ機器および基地局はまず、合意に達して2つの当事者間のネゴシエーションを完遂し、基地局によって送信されたセル固有のレベル1 RSを受信した後に、スケジューリング対象のユーザ機器は、セル固有のレベル1 RSの測定を実行する。
【００６６】
ステップS204: 次元縮小したチャネル部分空間のチャネル状態情報を基地局にフィードバックする。
【００６７】
特に、ステップS204を実行する際の時間-周波数密度も非常に低い。
【００６８】
ステップS206: 基地局が、ユーザ機器をスケジューリングし、多入力多出力に関与するユーザ機器のセットを決定する。
【００６９】
特に、多入力多出力に関与しているということは、SU-MIMOまたはMU-MIMOに関与しているということを含み得る。
【００７０】
ステップS208: 基地局が、ユーザ固有のレベル2 RSをユーザ機器のセットのうちのユーザ機器に送信する。
【００７１】
特に、基地局は、次元縮小したチャネルを使用して、ユーザ固有(UE-specific)のレベル2 RSをユーザ機器のセットのうちのユーザ機器に送信する。ステップS208を実行する際の時間-周波数密度は高いが、ユーザ固有のレベル2 RSはユーザ機器のセットのうちのユーザ機器のみに送信されており、したがって、システムオーバーヘッドは制御されている。
【００７２】
ステップS210: 基地局によって送信されたユーザ固有のレベル2 RSを受信した後に、多入力多出力に関与するユーザ機器が、ユーザ固有のレベル2 RSに従って測定および量子化を次元縮小したリアルタイムチャネルに対して行って次元縮小したリアルタイムチャネルの状態情報を取得する。
【００７３】
ステップS212: 次元縮小したリアルタイムチャネルの状態情報を基地局にフィードバックする。
【００７４】
特に、ステップS212を実行する際の時間-周波数密度は高いが、次元縮小したリアルタイムチャネルの状態情報はまたユーザ機器のセットのうちのユーザ機器のみに送信されており、したがって、システムオーバーヘッドは制御されている。
【００７５】
ステップS214: 基地局が、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信する。
【００７６】
ステップS216: 基地局によって送信されたダウンリンクデータおよびユーザ固有の復調基準信号を受信した後に、多入力多出力に関与するユーザ機器が、ユーザ固有の復調基準信号を復調し、データチャネルを推定し、ダウンリンクデータを復調する。
【００７７】
図2の実施形態におけるユーザ機器は、1つのユーザ機器を指しているわけではなく、複数のスケジューリング対象のユーザ機器および多入力多出力に関与するユーザ機器のセットのうちのユーザ機器を含むユーザ機器側を指していることに留意されたい。
【００７８】
図3に示したように、図3は、本発明による、マルチアンテナデータ伝送方法の別の実施形態の概略フローチャートであり、方法は、以下のステップを含む。
【００７９】
ステップS300: スケジューリング対象のユーザ機器が、ユーザ固有のレベル1 RSを基地局に送信する。
【００８０】
特に、ユーザ固有のレベル1 RSは、測定を行って次元縮小したチャネル部分空間のチャネル状態情報を取得するために基地局によって使用されるレベル1 RSであり、ステップS300を実行する際の時間-周波数密度は非常に低い。
【００８１】
ステップS302: スケジューリング対象のユーザ機器によって送信されたユーザ固有のレベル1 RSを受信した後に、基地局が、ユーザ固有のレベル1 RSを測定してスケジューリング対象のユーザ機器に対応するチャネル部分空間を取得し、次元縮小をチャネル部分空間に対して行って次元縮小したチャネル部分空間のチャネル状態情報を取得する。
【００８２】
ステップS304: 基地局が、ユーザ機器をスケジューリングし、多入力多出力に関与するユーザ機器のセットを決定する。
【００８３】
ステップS306: 基地局が、ユーザ固有のレベル2 RSをユーザ機器のセットのうちのユーザ機器に送信する。
【００８４】
ステップS308: 基地局によって送信されたユーザ固有のレベル2 RSを受信した後に、多入力多出力に関与するユーザ機器が、ユーザ固有のレベル2 RSに従って測定および量子化を次元縮小したリアルタイムチャネルに対して行って次元縮小したリアルタイムチャネルの状態情報を取得する。
【００８５】
ステップS310: 次元縮小したリアルタイムチャネルの状態情報を基地局にフィードバックする。
【００８６】
ステップS312: 基地局が、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信する。
【００８７】
ステップS314: 基地局によって送信されたダウンリンクデータおよびユーザ固有の復調基準信号を受信した後に、多入力多出力に関与するユーザ機器が、ユーザ固有の復調基準信号を復調し、データチャネルを推定し、ダウンリンクデータを復調する。
【００８８】
ステップS304からステップS314については、図2の前述の実施形態におけるステップS206からステップS216を参照すればよいので、その詳細を再びここで説明していないことは理解できよう。
【００８９】
図4に示したように、図4は、本発明による、マルチアンテナデータ伝送方法の別の実施形態の概略フローチャートであり、方法は、以下のステップを含む。
【００９０】
ステップS400: スケジューリング対象のユーザ機器が、ユーザ固有のレベル1 RSを基地局に送信する。
【００９１】
ステップS402: スケジューリング対象のユーザ機器によって送信されたユーザ固有のレベル1 RSを受信した後に、基地局が、ユーザ固有のレベル1 RSを測定してスケジューリング対象のユーザ機器に対応するチャネル部分空間を取得し、次元縮小をチャネル部分空間に対して行って次元縮小したチャネル部分空間のチャネル状態情報を取得する。
【００９２】
ステップS404: 基地局が、ユーザ機器をスケジューリングし、多入力多出力に関与するユーザ機器のセットを決定する。
【００９３】
ステップS400からステップS404については、図3の前述の実施形態におけるステップS300からステップS304を参照すればよいので、その詳細を再びここで説明していないことは理解できよう。
【００９４】
ステップS406: 基地局が、シグナリング通知をユーザ機器のセットのうちのユーザ機器に送信する。
【００９５】
特に、シグナリング通知は、ユーザ固有のレベル2 RSを基地局に送信するようにユーザ機器のセットのうちのユーザ機器に命令するために使用される。
【００９６】
ステップS408: 基地局によって送信されたシグナリング通知を受信した後に、多入力多出力に関与するユーザ機器が、ユーザ固有のレベル2 RSを基地局に送信する。
【００９７】
特に、ユーザ固有のレベル2 RSは、測定を行って次元縮小したリアルタイムチャネルの状態情報を取得するために基地局によって使用されるレベル2 RSである。ステップS408を実行する際の時間-周波数密度は高いが、シグナリング通知はユーザ機器のセットのうちのユーザ機器のみに送信されており、したがって、システムオーバーヘッドは制御されている。
【００９８】
ステップS410: ユーザ機器のセットのうちのユーザ機器によって送信されたユーザ固有のレベル2 RSを受信した後に、基地局が、ユーザ固有のレベル2 RSに従って次元縮小したリアルタイムチャネルを測定して次元縮小したリアルタイムチャネルの状態情報を取得する。
【００９９】
ステップS412: 基地局が、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信する。
【０１００】
ステップS414: 基地局によって送信されたダウンリンクデータおよびユーザ固有の復調基準信号を受信した後に、多入力多出力に関与するユーザ機器が、ユーザ固有の復調基準信号を復調し、データチャネルを推定し、ダウンリンクデータを復調する。
【０１０１】
図5に示したように、図5は、本発明による、マルチアンテナデータ伝送方法の別の実施形態の概略フローチャートであり、方法は、以下のステップを含む。
【０１０２】
ステップS500: 基地局が、セル固有のレベル1基準信号RSをユーザ機器に送信する。
【０１０３】
ステップS502: 基地局によって送信されたセル固有のレベル1 RSを受信した後に、スケジューリング対象のユーザ機器が、セル固有のレベル1 RSに従って測定を行って対応するチャネル部分空間を取得し、次元縮小および量子化をチャネル部分空間に対して行って次元縮小したチャネル部分空間のチャネル状態情報を取得する。
【０１０４】
ステップS504: 次元縮小したチャネル部分空間のチャネル状態情報を基地局にフィードバックする。
【０１０５】
ステップS506: 基地局が、ユーザ機器をスケジューリングし、多入力多出力に関与するユーザ機器のセットを決定する。
【０１０６】
ステップS508: 基地局が、シグナリング通知をユーザ機器のセットのうちのユーザ機器に送信する。
【０１０７】
シグナリング通知は、ユーザ固有のレベル2 RSを基地局に送信するようにユーザ機器のセットのうちのユーザ機器に命令するために使用される。
【０１０８】
ステップS510: 基地局によって送信されたシグナリング通知を受信した後に、多入力多出力に関与するユーザ機器が、ユーザ固有のレベル2 RSを基地局に送信する。
【０１０９】
ユーザ固有のレベル2 RSは、測定を行って次元縮小したリアルタイムチャネルの状態情報を取得するために基地局によって使用されるレベル2 RSである。
【０１１０】
ステップS512: ユーザ機器のセットのうちのユーザ機器によって送信されたユーザ固有のレベル2 RSを受信した後に、基地局が、ユーザ固有のレベル2 RSに従って次元縮小したリアルタイムチャネルを測定して次元縮小したリアルタイムチャネルの状態情報を取得する。
【０１１１】
ステップS514: 基地局が、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信する。
【０１１２】
ステップS516: 基地局によって送信されたダウンリンクデータおよびユーザ固有の復調基準信号を受信した後に、多入力多出力に関与するユーザ機器が、ユーザ固有の復調基準信号を復調し、データチャネルを推定し、ダウンリンクデータを復調する。
【０１１３】
ステップS500からステップS506については、図2の実施形態におけるステップS200からステップS206を参照すればよく、ステップS508からステップS516については、図4の実施形態におけるステップS406からステップS414を参照すればよいので、その詳細を再びここで説明していないことは理解できよう。
【０１１４】
本発明の実施形態が、図6に示したような、2レベルRSと協調してCSIを獲得するように設計された2レベルプリコーディング構造をさらに提供していることに留意されたい。
【０１１５】
本発明の本実施形態におけるレベル1 RSが直接送信されてもよい。
【０１１６】
本発明の本実施形態におけるレベル2 RSは、レベル1ビーム空間プリコーディング(すなわち、本発明の本実施形態におけるチャネル部分空間のチャネル状態情報に対応する第1レベルのプリコーディング)と乗算された後に送信され得る、すなわち、本発明の本実施形態におけるユーザ固有のレベル2 RSは、チャネル部分空間のチャネル状態情報に対応する第1レベルのプリコーディングにより処理済みのユーザ固有のレベル2 RSである。
【０１１７】
本発明の本実施形態におけるユーザ固有の復調基準信号DM-RSは、レベル2プリコーディング(すなわち、本発明の本実施形態におけるリアルタイムチャネルの状態情報に対応する第2レベルのプリコーディング)とまず乗算され得るし、その後、レベル1ビーム空間プリコーディングと乗算され、そして、乗算の結果が送信される。
【０１１８】
本発明の本実施形態におけるダウンリンクデータは、前述のDM-RSと類似しており、レベル2プリコーディングとまず乗算され得るし、その後、レベル1プリコーディングと乗算され、そして、乗算の結果が送信される。図6は、MU-MIMOを例として使用することによってプリコーディング機構を示している。K個のUEが存在していると仮定すると、レベル2プリコーディング処理が空間次元Sを有するUEのビーム空間次元を取得するためにK個のUEのデータフローに対して別々に行われ、その後、ビーム空間プリコーディングがレベル1スケジューリングにより取得されたUEに対して行われ、最終的に、M次元のデータが取得および送信される。図6中のプリコーディング機構はまたSU-MIMOをサポートし、プリコーディング機構がSU-MIMOである場合には、CSIがレベル1 RSを使用して獲得された後は、ただ1つのスケジューリング対象のデータ送信端が存在し、図6中のUE1のみが存在することに留意されたい。本発明の本実施形態におけるレベル1プリコーディングは、ベースバンドにおいて実施(すなわち、周波数領域におけるレベル1プリコーディングの実行)され得る、または、中間/無線周波数において実施(すなわち、時間領域におけるレベル2プリコーディングの実行)され得ることは理解できよう。
【０１１９】
そこで、本発明によるマルチアンテナデータ伝送方法の別の実施形態の、図7に示した、概略フローチャートを参照して、UE側からの本発明における図1から図5における実施様態を以下に説明しており、方法は、特に以下のステップを含む。
【０１２０】
ステップS700: スケジューリング対象のユーザ機器が、基地局が次元縮小したチャネル部分空間のチャネル状態情報を獲得することができるように、基地局と協調してレベル1チャネル状態情報測定を完遂する、ここで、チャネル部分空間は、次元縮小を各スケジューリング対象のユーザ機器の統計的チャネル部分空間に対して行った後に取得したチャネル部分空間である。
【０１２１】
ステップS702: 多入力多出力に関与するユーザ機器が、基地局が次元縮小したリアルタイムチャネルの状態情報を獲得することができるように、基地局と協調してレベル2チャネル状態情報測定を完遂する。
【０１２２】
ステップS704: 多入力多出力に関与するユーザ機器が、基地局によって送信されたダウンリンクデータおよびユーザ固有の復調基準信号を受信する、ここで、ダウンリンクデータおよびユーザ固有の復調基準信号は、2レベルプリコーディングにより処理された後に基地局によって送信されたデータであり、2レベルプリコーディングは、チャネル部分空間のチャネル状態情報に対応する第1レベルのプリコーディングおよびリアルタイムチャネルの状態情報に対応する第2レベルのプリコーディングを含む。
【０１２３】
特に、ステップS700は、スケジューリング対象のユーザ機器によって、基地局によって送信されたセル固有のレベル1基準信号RSを受信するステップと、セル固有のレベル1 RSに従って測定を行って対応するチャネル部分空間を取得し、次元縮小および量子化をチャネル部分空間に対して行って次元縮小したチャネル部分空間のチャネル状態情報を取得するステップと、次元縮小したチャネル部分空間のチャネル状態情報を基地局にフィードバックするステップとを含みうる。
【０１２４】
その上特に、ステップS700は、スケジューリング対象のユーザ機器によって、ユーザ固有のレベル1 RSを基地局に送信するステップであって、ユーザ固有のレベル1 RSは、測定を行って次元縮小したチャネル部分空間のチャネル状態情報を取得するために基地局によって使用されるレベル1 RSである、ステップをさらに含み得る。
【０１２５】
さらに、ステップS702は、多入力多出力に関与するユーザ機器によって、基地局によって送信されたユーザ固有のレベル2 RSを受信するステップと、ユーザ固有のレベル2 RSに従って測定および量子化を次元縮小したリアルタイムチャネルに対して行って次元縮小したリアルタイムチャネルの状態情報を取得するステップと、次元縮小したリアルタイムチャネルの状態情報を基地局にフィードバックするステップとを含み得る。
【０１２６】
その上さらに、ステップS702は、多入力多出力に関与するユーザ機器によって、基地局によって送信されたシグナリング通知を受信するステップであって、シグナリング通知は、ユーザ固有のレベル2 RSを基地局に送信するようにユーザ機器に命令するために使用される、ステップと、ユーザ固有のレベル2 RSを基地局に送信するステップであって、ユーザ固有のレベル2 RSは、測定を行って次元縮小したリアルタイムチャネルの状態情報を取得するために基地局によって使用されるレベル2 RSである、ステップとをさらに含み得る。
【０１２７】
本発明の本実施形態におけるユーザ固有のレベル2 RSは、チャネル部分空間のチャネル状態情報に対応する第1レベルのプリコーディングにより処理済みのユーザ固有のレベル2 RSであることに留意されたい。
【０１２８】
その上さらに、本発明の本実施形態におけるステップS704を行った後に、方法は、ユーザ固有の復調基準信号を復調し、データチャネルを推定し、ダウンリンクデータを復調するステップをさらに含み得る。
【０１２９】
図7における本発明の本実施形態における実施様態については、図1から図6における前述の実施形態において説明した実施様態を参照すればよいので、その詳細を再びここで説明していないことは理解できよう。
【０１３０】
本発明において提供したマルチアンテナデータ伝送方法を使用して、システムオーバーヘッドが大幅に低減され得ることは理解できよう。
【０１３１】
具体的には、送信アンテナの数量がMであり、スケジューリング対象のUEの数量がT1であり、スケジューリング済みのUEのセットのうちのUEの数量がT2であり、UEのアンテナの数量がNであると仮定すると、CSIを獲得するためのオーバーヘッドは、本発明の本実施形態におけるチャネル次元縮小により効率的に低減される、ここで、低減されたオーバーヘッドは以下のことを含む(効果が従来技術のLTEにおける1レベルRS解決手法と本発明の解決手法とを比較することによって得られる)。
【０１３２】
a. ダウンリンクRSオーバーヘッド(FDD/TDDに適用可能)
従来技術のLTEにおける1レベルRS解決手法においては、時間および周波数に関する各送信アンテナの平均密度がx REs/ms/15kHzである場合には、M個の送信アンテナのRSの総密度は、M*x REs/ms/15kHzである。
しかしながら、本発明の本実施形態におけるダウンリンクRSオーバーヘッドは、2つのレベルのRSを含む。時間および周波数の両方に関して緩やかに変化するチャネル部分空間のみをレベル1 RSに関して取得する必要がある場合には、時間領域および周波数領域の両方における密度を低減することができ(例えば、時間密度は、LTEにおけるレベル1 RSの密度の1/4以下となり得るし、周波数に関しては、LTEにおけるレベル1 RSの密度の1/2であると見なせる)、M個の送信アンテナの密度は、M*x/8 REs/ms/15kHz以内で一般的に制御され得る。リアルタイムチャネルの変化のフィードバックをレベル2 RSのためにサポートする必要がある場合には、時間および周波数に関する各空間次元の平均密度もx REs/ms/15kHzであり、次元縮小した次元SはM/4に一般的に等しく、したがって、S次元空間アンテナの密度は、高々M*x/4 REs/ms/15kHzである。
したがって、ダウンリンクRSオーバーヘッドに関しては、本発明の解決手法を従来技術のLTEにおける1レベルRS解決手法と比較すると、REオーバーヘッドは、1-(M*x/4+M*x/8)/M*x=62.5%まで低減される。
【０１３３】
b. アップリンクフィードバックオーバーヘッド(FDD/TDDに適用可能、各ダウンリンクサブバンドがフィードバックを一回行うと仮定する)
従来技術のLTEにおける1レベルRS解決手法においては、フィードバックをT1個のスケジューリング対象のUEのすべてに対して行う必要がある。各スケジューリング対象のUEのフィードバックによって占有されるREの数量についての時間密度がy REs/ms/ダウンリンクサブバンドであると仮定すると、T1個のスケジューリング対象のUEによって占有されるREの数量についての総時間密度は、T1*y REs/ms/ダウンリンクサブバンドである。
しかしながら、本発明の本実施形態においては、フィードバックをスケジューリング対象のUEのセットのうちのT2個のUEに対してのみ行う必要があるだけであり、各スケジューリング対象のUEのフィードバックによって占有されるREの数量がLTEにおける1レベルRS解決手法におけるものと一致していると仮定すると、スケジューリング対象のUEのセットのうちのT2個のUEによって占有されるREの数量についての総時間密度は、T2*y REs/ms/ダウンリンクサブバンドである、ここで、控えめなケースとしてもT2/T1≦1/4である。
したがって、アップリンクフィードバックオーバーヘッドに関しては、本発明の解決手法を従来技術のLTEにおける1レベルRS解決手法と比較すると、REオーバーヘッドは、1-T2*y/(T1*y) =75%まで低減される。
【０１３４】
c. アップリンクRSオーバーヘッド(TDDのみに適用可能)
従来技術のLTEにおける1レベルRS解決手法においては、アップリンクRSをT1個のスケジューリング対象のUEの各々に送信する必要があり、時間および周波数に関して、RSを送信するために各スケジューリング対象のUEによって占有されるREの数量についての平均密度がz REs/ms/15kHzである場合には、T1個のスケジューリング対象のUEのRSの総密度は、T1*z REs/ms/15kHzである。
しかしながら、本発明の本実施形態におけるアップリンクRSオーバーヘッドは、RSの2つのレベルのそれらを含む。時間および周波数の両方に関して緩やかに変化するチャネル部分空間のみをレベル1 RSに関して取得する必要がある場合には、時間領域および周波数領域の両方における密度を低減することができ(例えば、時間密度は、LTEにおけるレベル1 RSの密度の1/4以下となり得るし、周波数に関しては、LTEにおけるレベル1 RSの密度の1/2であると見なせる)、T1個のスケジューリング対象のUEのRS密度は、T1*z/8 REs/ms/15kHz以内で一般的に制御され得る。リアルタイムチャネルの変化の獲得をレベル2 RSのためにサポートする必要がある場合には、時間および周波数に関するスケジューリング済みのUEのセットのうちの各UEの平均密度もz REs/ms/15kHzであり、したがって、スケジューリング済みのUEのセットのうちのT2個のUEのレベル2 RSの密度は、高々T2*z/4 REs/ms/15kHzである、ここで、控えめなケースとしてもT2/T1≦1/4である。
したがって、アップリンクRSオーバーヘッドに関しては、本発明の解決手法を従来技術のLTEにおける1レベルRS解決手法と比較すると、REオーバーヘッドは、1-(T2*z+T1*z/8)/(T1*z) =62.5%まで低減される。
【０１３５】
チャネル次元縮小が本発明の本実施形態において行われた後は、レベル2プリコーディングを獲得する際の計算の複雑さが3のべき乗の速度で低減されることはさらに理解できよう。例えば、256個のアンテナ要素を有するアンテナアレイの次元は32次元に縮小され、計算の複雑さを8^3=512倍低減することができ、対応する処理遅延も512倍低減しており、このことを以下の表に特に示す。
【０１３６】
【表１】
0006509255.tif 000002
【０１３７】
レベル1プリコーディングの非常に緩やかな更新速度が計算の複雑さを解決するための主なボトルネックではなく、それゆえ、レベル2プリコーディングのSVDを獲得することがDL CSIを獲得する際の主な計算の複雑さである。アンテナアレイを32次元に縮小すると、演算結果は、27*32^3*6*100*3*1e3/5=320Gflopである、ここで、27*32^3は各サブバンドのSVD複雑度であり、6は複素数で行われる乗算演算で必要となる実数で行われる乗加算演算の数であり、100は(100MHzのシステム帯域幅を有する)サブバンドの数量であり、3はセクションの数量であり、1e3/5は1秒間でレベル2CSIを獲得する回数である。
【０１３８】
システムパフォーマンスの観点からすれば、本発明の本実施形態のパフォーマンスと合理的システムパフォーマンスとの間には非常に僅かな差が存在していることに留意されたい。ビットエラーレートBERおよび信号対雑音比SNR(dB)の観点の、本発明におけるシステムパフォーマンスと理想的なシステムパフォーマンスとの間の比較の、図8から図13に示した、データ効果図を参照して、SU-MIMOを例として使用している説明を以下に提供する。
【０１３９】
図8に示したように、図8は、本発明におけるシステムパフォーマンスと理想的なシステムパフォーマンスとの間の比較のデータ効果図である。レベル1 RSを送信するための期間が変化する場合には、本発明におけるシステムパフォーマンスと理想的なシステムパフォーマンスとの間には僅かな差が常に存在している。
【０１４０】
図9に示したように、図9は、本発明におけるシステムパフォーマンスと理想的なシステムパフォーマンスとの間の比較の別のデータ効果図である。次元縮小における次元が変化した場合には、本発明におけるシステムパフォーマンスと理想的なシステムパフォーマンスとの間には僅かな差が常に存在している。
【０１４１】
図10に示したように、図10は、本発明におけるシステムパフォーマンスと理想的なシステムパフォーマンスとの間の比較の別のデータ効果図である。UEの移動性が変化するケースでは、低速度では、本発明におけるシステムパフォーマンスと理想的なシステムパフォーマンスとの間には僅かな差が存在しているが、中/高速度では、本発明におけるシステムパフォーマンスと理想的なシステムパフォーマンスとの間にはより大きな差が存在しており(すなわち、中/高速度では本発明におけるシステムパフォーマンスに関してより大きなロスが存在している)、したがって、本発明は、低速度シナリオに主に適用可能である。
【０１４２】
図11に示したように、図11は、本発明におけるシステムパフォーマンスと理想的なシステムパフォーマンスとの間の比較の別のデータ効果図である。データ送信端とデータ受信端との間の相関が変化するケースでは、本発明におけるシステムパフォーマンスと理想的なシステムパフォーマンスとの間には僅かな差が常に存在している。
【０１４３】
図12に示したように、図12は、本発明におけるシステムパフォーマンスと理想的なシステムパフォーマンスとの間の比較の別のデータ効果図である。データ送信端における送信アンテナの数量(アンテナの数量は64以上)が変化する場合には、本発明におけるシステムパフォーマンスと理想的なシステムパフォーマンスとの間には僅かな差が常に存在している。
【０１４４】
図13に示したように、図13は、本発明におけるシステムパフォーマンスと理想的なシステムパフォーマンスとの間の比較の別のデータ効果図である。レベル2 RSを送信するための期間が変化する場合には、本発明におけるシステムパフォーマンスと理想的なシステムパフォーマンスとの間には僅かな差が常に存在している。
【０１４５】
本発明の本実施形態を実施することによって、次元縮小したチャネル部分空間のチャネル状態情報がレベル1チャネル状態情報測定により獲得され、レベル2チャネル状態情報測定が次元縮小したリアルタイムチャネルの状態情報を獲得するためにユーザ機器のセットのうちのユーザ機器に対して行われ、ダウンリンクデータおよびユーザ固有の復調基準信号が2レベルプリコーディングにより処理され、処理されたダウンリンクデータおよび処理したユーザ固有の復調基準信号が送信される、このことが、データ送信端におけるアンテナの数量が比較的多い(サービス対象のUEの数量も比較的多い)場合には、アップリンクおよびダウンリンクパイロットオーバーヘッドが大きくなるとともに、アップリンクCSIフィードバックの数量が多くなるという従来技術における技術的課題を解決している、その結果、システムにおいてより多くの時間-周波数リソースがデータ伝送に利用可能となり、それによって、システムスループットを効率的に増大させている。加えて、チャネル次元縮小により、従来技術のシステムにおけるベースバンド処理において複雑度が高いという問題も解決することができ、それによって、ベースバンド処理能力についての要件を低減している。
【０１４６】
本発明の実施形態における前述の解決手法をより良く実施するために、本発明の実施形態による基地局の、図14に示した、概略構造図を参照して、前述の方法に対応する装置の実施様態を以下に説明する。基地局140は、第1のチャネル状態情報獲得モジュール1400、セット決定モジュール1402、第2のチャネル状態情報獲得モジュール1404、およびデータ送信モジュール1406を備える。
【０１４７】
第1のチャネル状態情報獲得モジュール1400は、レベル1チャネル状態情報測定により次元縮小したチャネル部分空間のチャネル状態情報を獲得するように構成される、ここで、チャネル部分空間は、次元縮小を各スケジューリング対象のユーザ機器の統計的チャネル部分空間に対して行った後に取得したチャネル部分空間である。
【０１４８】
セット決定モジュール1402は、ユーザ機器をスケジューリングし、多入力多出力に関与するユーザ機器のセットを決定するように構成される。
【０１４９】
第2のチャネル状態情報獲得モジュール1404は、レベル2チャネル状態情報測定をユーザ機器のセットのうちのユーザ機器に対して行って次元縮小したリアルタイムチャネルの状態情報を獲得するように構成される。
【０１５０】
データ送信モジュール1406は、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信するように構成される、ここで、2レベルプリコーディングは、チャネル部分空間のチャネル状態情報に対応する第1レベルのプリコーディングおよびリアルタイムチャネルの状態情報に対応する第2レベルのプリコーディングを含む。
【０１５１】
特に、図15に示したように、図15は、本発明による、第1のチャネル状態情報獲得モジュールの概略構造図である。第1のチャネル状態情報獲得モジュール1400は、レベル1 RS送信ユニット14000および第1のチャネル状態受信ユニット14002を備え得る。
【０１５２】
レベル1 RS送信ユニット14000は、セル固有のレベル1基準信号RSをユーザ機器に送信するように構成される。
【０１５３】
第1のチャネル状態受信ユニット14002は、次元縮小したチャネル部分空間の、スケジューリング対象のユーザ機器によってフィードバックされた、チャネル状態情報を受信するように構成される、ここで、チャネル部分空間のチャネル状態情報は、チャネル部分空間の、スケジューリング対象のユーザ機器がセル固有のレベル1 RSに従って測定を行って対応するチャネル部分空間を取得するとともに次元縮小および量子化をチャネル部分空間に対して行った後に取得されるチャネル状態情報である。
【０１５４】
さらに、図16に示したように、図16は、本発明による、第1のチャネル状態情報獲得モジュールの別の実施形態の概略構造図である。第1のチャネル状態情報獲得モジュール1400は、レベル1 RS受信ユニット14004およびレベル1 RS測定ユニット14006を備え得る。
【０１５５】
レベル1 RS受信ユニット14004は、スケジューリング対象のユーザ機器によって送信されたユーザ固有のレベル1 RSを受信するように構成される。
【０１５６】
レベル1 RS測定ユニット14006は、ユーザ固有のレベル1 RSを測定してスケジューリング対象のユーザ機器に対応するチャネル部分空間を取得し、次元縮小をチャネル部分空間に対して行って次元縮小したチャネル部分空間のチャネル状態情報を取得するように構成される。
【０１５７】
その上さらに、図17に示したように、図17は、本発明による、第2のチャネル状態情報獲得モジュールの概略構造図である。第2のチャネル状態情報獲得モジュール1404は、レベル2 RS送信ユニット14040および第2のチャネル状態受信ユニット14042を備え得る。
【０１５８】
レベル2 RS送信ユニット14040は、ユーザ固有のレベル2 RSをユーザ機器のセットのうちのユーザ機器に送信するように構成される。
【０１５９】
第2のチャネル状態受信ユニット14042は、次元縮小したリアルタイムチャネルの、ユーザ機器のセットのうちのユーザ機器によってフィードバックされた、状態情報を受信するように構成される、ここで、次元縮小したリアルタイムチャネルの状態情報は、次元縮小したリアルタイムチャネルの、ユーザ機器のセットのうちのユーザ機器がユーザ固有のレベル2 RSに従って測定および量子化を次元縮小したリアルタイムチャネルに対して行った後に取得される、状態情報である。
【０１６０】
その上さらに、図18に示したように、図18は、本発明による、第2のチャネル状態情報獲得モジュールの別の実施形態の概略構造図である。第2のチャネル状態情報獲得モジュール1404は、シグナリング通知送信ユニット14044、レベル2 RS受信ユニット14046、およびレベル2 RS測定ユニット14048を備え得る。
【０１６１】
シグナリング通知送信ユニット14044は、シグナリング通知をユーザ機器のセットのうちのユーザ機器に送信するように構成される、ここで、シグナリング通知は、ユーザ固有のレベル2 RSを基地局に送信するようにユーザ機器のセットのうちのユーザ機器に命令するために使用される。
【０１６２】
レベル2 RS受信ユニット14046は、ユーザ機器のセットのうちのユーザ機器によって送信されたユーザ固有のレベル2 RSを受信するように構成される。
【０１６３】
レベル2 RS測定ユニット14048は、ユーザ固有のレベル2 RSに従って次元縮小したリアルタイムチャネルを測定して次元縮小したリアルタイムチャネルの状態情報を取得するように構成される。
【０１６４】
本発明の本実施形態におけるユーザ固有のレベル2 RSは、チャネル部分空間のチャネル状態情報に対応する第1レベルのプリコーディングにより処理済みのユーザ固有のレベル2 RSであることに留意されたい。
【０１６５】
その上さらに、図19に示したように、図19は、本発明による、データ送信モジュールの概略構造図である。データ送信モジュール1406は、第1の処理および送信ユニット14060ならびに第2の処理および送信ユニット14062を備え得る。
【０１６６】
第1の処理および送信ユニット14060は、ダウンリンクデータをリアルタイムチャネルの状態情報に対応する第2レベルのプリコーディングと乗算し、その後、チャネル部分空間のチャネル状態情報に対応する第1レベルのプリコーディングと乗算し、乗算の結果をユーザ機器のセットのうちのユーザ機器に送信するように構成される。
【０１６７】
第2の処理および送信ユニット14062は、ユーザ固有の復調基準信号をリアルタイムチャネルの状態情報に対応する第2レベルのプリコーディングと乗算し、その後、チャネル部分空間のチャネル状態情報に対応する第1レベルのプリコーディングと乗算し、乗算の結果をユーザ機器のセットのうちのユーザ機器に送信するように構成される。
【０１６８】
それゆえ、基地局140の各モジュールの機能については、前述の方法の実施形態における具体的な実施様態を参照すればよいので、その詳細を再びここで説明していないことは理解できよう。
【０１６９】
本発明によるユーザ機器の、図20に示した、概略構造図を参照して、前述の方法に対応する、装置の実施様態を以下に説明する。ユーザ機器200は、スケジューリング対象のユーザ機器であり、第1の測定協調モジュール2000、第2の測定協調モジュール2002、およびデータ受信モジュール2004を備える。
【０１７０】
第1の測定協調モジュール2000は、基地局が次元縮小したチャネル部分空間のチャネル状態情報を獲得することができるように、基地局と協調してレベル1チャネル状態情報測定を完遂するように構成される、ここで、チャネル部分空間は、次元縮小を各スケジューリング対象のユーザ機器の統計的チャネル部分空間に対して行った後に取得したチャネル部分空間である。
【０１７１】
第2の測定協調モジュール2002は、ユーザ機器が多入力多出力に関与するユーザ機器である場合には、基地局が次元縮小したリアルタイムチャネルの状態情報を獲得することができるように、基地局と協調してレベル2チャネル状態情報測定を完遂するように構成される。
【０１７２】
データ受信モジュール2004は、基地局によって送信されたダウンリンクデータおよびユーザ固有の復調基準信号を受信するように構成される、ここで、ダウンリンクデータおよびユーザ固有の復調基準信号は、2レベルプリコーディングにより処理された後に基地局によって送信されたデータであり、2レベルプリコーディングは、チャネル部分空間のチャネル状態情報に対応する第1レベルのプリコーディングおよびリアルタイムチャネルの状態情報に対応する第2レベルのプリコーディングを含む。
【０１７３】
特に、図21に示したように、図21は、本発明による、第1の測定協調モジュールの概略構造図である。第1の測定協調モジュール2000は、レベル1 RS受信ユニット20000、レベル1 RS測定ユニット20002、および第1のフィードバックユニット20004を備え得る。
【０１７４】
レベル1 RS受信ユニット20000は、基地局によって送信されたセル固有のレベル1基準信号RSを受信するように構成される。
【０１７５】
レベル1 RS測定ユニット20002は、セル固有のレベル1 RSに従って測定を行って対応するチャネル部分空間を取得し、次元縮小および量子化をチャネル部分空間に対して行って次元縮小したチャネル部分空間のチャネル状態情報を取得するように構成される。
【０１７６】
第1のフィードバックユニット20004は、次元縮小したチャネル部分空間のチャネル状態情報を基地局にフィードバックするように構成される。
【０１７７】
さらに、本発明において提供した第1の測定協調モジュール2000は、ユーザ固有のレベル1 RSを基地局に送信するように構成される、レベル1 RS送信ユニットであって、ユーザ固有のレベル1 RSは、測定を行って次元縮小したチャネル部分空間のチャネル状態情報を取得するために基地局によって使用されるレベル1 RSである、レベル1 RS送信ユニットをさらに備え得る。
【０１７８】
その上さらに、図22に示したように、図22は、本発明による、第2の測定協調モジュールの概略構造図である。第2の測定協調モジュール2002は、レベル2 RS受信ユニット20020、レベル2 RS測定ユニット20022、および第2のフィードバックユニット20024を備え得る。
【０１７９】
レベル2 RS受信ユニット20020は、ユーザ機器が多入力多出力に関与するユーザ機器である場合には、基地局によって送信されたユーザ固有のレベル2 RSを受信するように構成される。
【０１８０】
レベル2 RS測定ユニット20022は、ユーザ固有のレベル2 RSに従って測定および量子化を次元縮小したリアルタイムチャネルに対して行って次元縮小したリアルタイムチャネルの状態情報を取得するように構成される。
【０１８１】
第2のフィードバックユニット20024は、次元縮小したリアルタイムチャネルの状態情報を基地局にフィードバックするように構成される。
【０１８２】
その上さらに、図23に示したように、図23は、本発明による、第2の測定協調モジュールの別の実施形態の概略構造図である。第2の測定協調モジュール2002は、シグナリング通知受信ユニット20026およびレベル2 RS送信ユニット20028を備え得る。
【０１８３】
シグナリング通知受信ユニット20026は、ユーザ機器が多入力多出力に関与するユーザ機器である場合には、基地局によって送信されたシグナリング通知を受信するように構成される、ここで、シグナリング通知は、ユーザ固有のレベル2 RSを基地局に送信するようにユーザ機器に命令するために使用される。
【０１８４】
レベル2 RS送信ユニット20028は、ユーザ固有のレベル2 RSを基地局に送信するように構成される、ここで、ユーザ固有のレベル2 RSは、測定を行って次元縮小したリアルタイムチャネルの状態情報を取得するために基地局によって使用されるレベル2 RSである。
【０１８５】
本発明の本実施形態におけるユーザ固有のレベル2 RSは、チャネル部分空間のチャネル状態情報に対応する第1レベルのプリコーディングにより処理済みのユーザ固有のレベル2 RSであることに留意されたい。
【０１８６】
その上さらに、図24に示したように、図24は、本発明による、ユーザ機器の別の実施形態の概略構造図である。ユーザ機器200は、第1の測定協調モジュール2000、第2の測定協調モジュール2002、およびデータ受信モジュール2004を備えており、データ受信モジュール2004が基地局によって送信されたダウンリンクデータおよびユーザ固有の復調基準信号を受信した後に、ユーザ固有の復調基準信号を復調し、データチャネルを推定し、ダウンリンクデータを復調するように構成される、復調モジュール2006をさらに備え得る。
【０１８７】
ユーザ機器200はモバイル端末、タブレット、または携帯情報端末などの別の電子デバイスを含むがそれらに限定されないことは理解できよう。ユーザ機器200内の各モジュールの機能については、それに対応している、前述の方法の実施形態における具体的な実施様態を参照すればよいので、その詳細を再びここで説明しない。
【０１８８】
さらに、図25に示したように、図25は、本発明による、マルチアンテナデータ伝送システムの概略構造図である。本発明は、基地局2500およびユーザ機器2502を含む、マルチアンテナデータ伝送システム250をさらに提供している。
【０１８９】
基地局2500は、前述の図14から図19のいずれか一つの実施形態における基地局140であり得るし、ユーザ機器2502は、前述の図20から図24のいずれか一つの実施形態におけるユーザ機器200であり得るので、その詳細を再びここで説明しない。
【０１９０】
本発明の実施形態における前述の解決手法をより良く実施するために、本発明は、前述の解決手法を実施する際に協調するように構成される、関連デバイスをさらに提供している。本発明による基地局の別の実施形態の、図26に示した、概略構造図を参照して、以下に詳細に説明をする。
【０１９１】
基地局260は、入力装置2600、出力装置2602、メモリ2604、およびプロセッサ2606を備える(基地局260内には、1つまたは複数のプロセッサ2606が存在し得るし、一例として、1つのプロセッサが図26では使用される)。本発明のいくつかの実施形態においては、入力装置2600、出力装置2602、メモリ2604、およびプロセッサ2606は、バスを使用してまたは別の方式で接続され得る。例えば、入力装置2600、出力装置2602、メモリ2604、およびプロセッサ2606は図26中のバスを使用して接続されている。
【０１９２】
メモリ2604は、プログラムコードを記憶するように構成され、プロセッサ2606は、メモリに記憶されているプログラムコードを呼び出して、
レベル1チャネル状態情報測定により次元縮小したチャネル部分空間のチャネル状態情報を獲得するステップであって、チャネル部分空間は、次元縮小を各スケジューリング対象のユーザ機器の統計的チャネル部分空間に対して行った後に取得したチャネル部分空間である、ステップと、ユーザ機器をスケジューリングし、多入力多出力に関与するユーザ機器のセットを決定し、レベル2チャネル状態情報測定をユーザ機器のセットのうちのユーザ機器に対して行って次元縮小したリアルタイムチャネルの状態情報を獲得するステップと、2レベルプリコーディングによりダウンリンクデータおよびユーザ固有の復調基準信号を処理し、出力装置2602を使用して、処理したダウンリンクデータおよび処理したユーザ固有の復調基準信号をユーザ機器のセットのうちのユーザ機器に送信するステップであって、2レベルプリコーディングは、チャネル部分空間のチャネル状態情報に対応する第1レベルのプリコーディングおよびリアルタイムチャネルの状態情報に対応する第2レベルのプリコーディングを含む、ステップとを実行するように構成される。
【０１９３】
特に、プロセッサ2606がレベル1チャネル状態情報測定により次元縮小したチャネル部分空間のチャネル状態情報を獲得するということは、
出力装置2602を使用して、セル固有のレベル1基準信号RSをユーザ機器に送信するステップと、入力装置2600を使用して、次元縮小したチャネル部分空間の、スケジューリング対象のユーザ機器によってフィードバックされた、チャネル状態情報を受信するステップであって、チャネル部分空間のチャネル状態情報は、チャネル部分空間の、スケジューリング対象のユーザ機器がセル固有のレベル1 RSに従って測定を行って対応するチャネル部分空間を取得するとともに次元縮小および量子化をチャネル部分空間に対して行った後に取得されるチャネル状態情報である、ステップとを含む。
【０１９４】
さらに、プロセッサ2606がレベル1チャネル状態情報測定により次元縮小したチャネル部分空間のチャネル状態情報を獲得するということは、
入力装置2600を使用して、スケジューリング対象のユーザ機器によって送信されたユーザ固有のレベル1 RSを受信するステップと、ユーザ固有のレベル1 RSを測定してスケジューリング対象のユーザ機器に対応するチャネル部分空間を取得し、次元縮小をチャネル部分空間に対して行って次元縮小したチャネル部分空間のチャネル状態情報を取得するステップとを含む。
【０１９５】
その上さらに、プロセッサ2606がレベル2チャネル状態情報測定をユーザ機器のセットのうちのユーザ機器に対して行って次元縮小したリアルタイムチャネルの状態情報を獲得するということは、
出力装置2602を使用して、ユーザ固有のレベル2 RSをユーザ機器のセットのうちのユーザ機器に送信するステップと、入力装置2600を使用して、次元縮小したリアルタイムチャネルの、ユーザ機器のセットのうちのユーザ機器によってフィードバックされた、状態情報を受信するステップであって、次元縮小したリアルタイムチャネルの状態情報は、次元縮小したリアルタイムチャネルの、ユーザ機器のセットのうちのユーザ機器がユーザ固有のレベル2 RSに従って測定および量子化を次元縮小したリアルタイムチャネルに対して行った後に取得される、状態情報である、ステップとを含む。
【０１９６】
その上さらに、プロセッサ2606がレベル2チャネル状態情報測定をユーザ機器のセットのうちのユーザ機器に対して行って次元縮小したリアルタイムチャネルの状態情報を獲得するということは、
出力装置2602を使用して、シグナリング通知をユーザ機器のセットのうちのユーザ機器に送信するステップであって、シグナリング通知は、ユーザ固有のレベル2 RSを基地局に送信するようにユーザ機器のセットのうちのユーザ機器に命令するために使用される、ステップと、入力装置2600を使用して、ユーザ機器のセットのうちのユーザ機器によって送信されたユーザ固有のレベル2 RSを受信するステップと、ユーザ固有のレベル2 RSに従って次元縮小したリアルタイムチャネルを測定して次元縮小したリアルタイムチャネルの状態情報を取得するステップとを含む。
【０１９７】
その上さらに、ユーザ固有のレベル2 RSは、チャネル部分空間のチャネル状態情報に対応する第1レベルのプリコーディングにより処理済みのユーザ固有のレベル2 RSである。
【０１９８】
その上さらに、プロセッサ2606が、2レベルプリコーディングによりダウンリンクデータおよびユーザ固有の復調基準信号を処理し、処理したダウンリンクデータおよび処理したユーザ固有の復調基準信号をユーザ機器のセットのうちのユーザ機器に送信するということは、
ダウンリンクデータをリアルタイムチャネルの状態情報に対応する第2レベルのプリコーディングと乗算し、その後、チャネル部分空間のチャネル状態情報に対応する第1レベルのプリコーディングと乗算し、出力装置2602を使用して、乗算の結果をユーザ機器のセットのうちのユーザ機器に送信するステップと、ユーザ固有の復調基準信号をリアルタイムチャネルの状態情報に対応する第2レベルのプリコーディングと乗算し、その後、チャネル部分空間のチャネル状態情報に対応する第1レベルのプリコーディングと乗算し、出力装置2602を使用して、乗算の結果をユーザ機器のセットのうちのユーザ機器に送信するステップとを含む。
【０１９９】
基地局260内のすべての機能モジュールの機能は、前述の方法の実施形態における方法に従って特に実施され得るので、その詳細を再びここで説明していないことは理解できよう。
【０２００】
本発明によるユーザ機器の別の実施形態の、図27に示した、概略構造図を参照して、以下に詳細に説明をする。
【０２０１】
ユーザ機器270は、入力装置2700、出力装置2702、メモリ2704、およびプロセッサ2706を備える(ユーザ機器270には、1つまたは複数のプロセッサ2706が存在し得るし、一例として、1つのプロセッサが図27では使用される)。本発明のいくつかの実施形態においては、入力装置2700、出力装置2702、メモリ2704、およびプロセッサ2706は、バスを使用してまたは別の方式で接続され得る。例えば、入力装置2700、出力装置2702、メモリ2704、およびプロセッサ2706は図27中のバスを使用して接続されている。
【０２０２】
メモリ2704は、プログラムコードを記憶するように構成され、プロセッサ2706は、メモリに記憶されているプログラムコードを呼び出して、
基地局が次元縮小したチャネル部分空間のチャネル状態情報を獲得することができるように、基地局と協調してレベル1チャネル状態情報測定を完遂するステップであって、チャネル部分空間は、次元縮小を各スケジューリング対象のユーザ機器の統計的チャネル部分空間に対して行った後に取得したチャネル部分空間である、ステップと、ユーザ機器が多入力多出力に関与するユーザ機器である場合には、基地局が次元縮小したリアルタイムチャネルの状態情報を獲得することができるように、基地局と協調してレベル2チャネル状態情報測定を完遂するステップと、入力装置2700を使用して、基地局によって送信されたダウンリンクデータおよびユーザ固有の復調基準信号を受信するステップであって、ダウンリンクデータおよびユーザ固有の復調基準信号は、2レベルプリコーディングにより処理された後に基地局によって送信されたデータであり、2レベルプリコーディングは、チャネル部分空間のチャネル状態情報に対応する第1レベルのプリコーディングおよびリアルタイムチャネルの状態情報に対応する第2レベルのプリコーディングを含む、ステップとを実行するように構成される。
【０２０３】
特に、プロセッサ2706が、基地局が次元縮小したチャネル部分空間のチャネル状態情報を獲得することができるように、基地局と協調してレベル1チャネル状態情報測定を完遂するということは、
入力装置2700を使用して、基地局によって送信されたセル固有のレベル1基準信号RSを受信するステップと、セル固有のレベル1 RSに従って測定を行って対応するチャネル部分空間を取得し、次元縮小および量子化をチャネル部分空間に対して行って次元縮小したチャネル部分空間のチャネル状態情報を取得するステップと、出力装置2702を使用して、次元縮小したチャネル部分空間のチャネル状態情報を基地局にフィードバックするステップとを含む。
【０２０４】
さらに、プロセッサ2706が、基地局が次元縮小したチャネル部分空間のチャネル状態情報を獲得することができるように、基地局と協調してレベル1チャネル状態情報測定を完遂するということは、
出力装置2702を使用して、ユーザ固有のレベル1 RSを基地局に送信するステップであって、ユーザ固有のレベル1 RSは、測定を行って次元縮小したチャネル部分空間のチャネル状態情報を取得するために基地局によって使用されるレベル1 RSである、ステップとを含む。
【０２０５】
その上さらに、プロセッサ2706が、基地局が次元縮小したリアルタイムチャネルの状態情報を獲得することができるように、基地局と協調してレベル2チャネル状態情報測定を完遂するということは、
入力装置2700を使用して、基地局によって送信されたユーザ固有のレベル2 RSを受信するステップと、ユーザ固有のレベル2 RSに従って測定および量子化を次元縮小したリアルタイムチャネルに対して行って次元縮小したリアルタイムチャネルの状態情報を取得するステップと、出力装置2702を使用して、次元縮小したリアルタイムチャネルの状態情報を基地局にフィードバックするステップとを含む。
【０２０６】
その上さらに、プロセッサ2706が、基地局が次元縮小したリアルタイムチャネルの状態情報を獲得することができるように、基地局と協調してレベル2チャネル状態情報測定を完遂するということは、
入力装置2700を使用して、基地局によって送信されたシグナリング通知を受信するステップであって、シグナリング通知は、ユーザ固有のレベル2 RSを基地局に送信するようにユーザ機器に命令するために使用される、ステップと、出力装置2702を使用してユーザ固有のレベル2 RSを基地局に送信するステップであって、ユーザ固有のレベル2 RSは、測定を行って次元縮小したリアルタイムチャネルの状態情報を取得するために基地局によって使用されるレベル2 RSである、ステップとを含む。
【０２０７】
その上さらに、ユーザ固有のレベル2 RSは、チャネル部分空間のチャネル状態情報に対応する第1レベルのプリコーディングにより処理されたユーザ固有のレベル2 RSである。
【０２０８】
その上さらに、基地局によって送信されたダウンリンクデータおよびユーザ固有の復調基準信号を受信するステップの後に、プロセッサ2706は、
ユーザ固有の復調基準信号を復調し、データチャネルを推定し、ダウンリンクデータを復調するステップをさらに実行する。
【０２０９】
ユーザ機器270内のすべての機能モジュールの機能は、前述の方法の実施形態における方法に従って特に実施され得るので、その詳細を再びここで説明していないことは理解できよう。
【０２１０】
図28に示したように、図28は、本発明による、ネットワークシステムの概略構造図である。ネットワークシステム280は、基地局2800およびユーザ機器2802を備える。
【０２１１】
基地局2800は、図26の前述の実施形態における基地局260であり得るし、ユーザ機器2802は、図27の前述の実施形態におけるユーザ機器270であり得るので、その詳細を再びここで説明しない。本発明の本実施形態におけるネットワークシステム280は、サーバなどのデバイスまたはサービスセンターをさらに含み得ることは理解できよう。
【０２１２】
結論として、本発明の本実施形態を実施することによって、次元縮小したチャネル部分空間のチャネル状態情報がレベル1チャネル状態情報測定により獲得され、レベル2チャネル状態情報測定が次元縮小したリアルタイムチャネルの状態情報を獲得するためにユーザ機器のセットのうちのユーザ機器に対して行われ、ダウンリンクデータおよびユーザ固有の復調基準信号が2レベルプリコーディングにより処理され、処理されたダウンリンクデータおよび処理したユーザ固有の復調基準信号が送信される、このことが、データ送信端におけるアンテナの数量が比較的多い(サービス対象のUEの数量も比較的多い)場合には、アップリンクおよびダウンリンクパイロットオーバーヘッドが大きくなるとともに、アップリンクCSIフィードバックの数量が多くなるという従来技術における技術的課題を解決している、その結果、システムにおいてより多くの時間-周波数リソースがデータ伝送に利用可能となり、それによって、システムスループットを効率的に増大させている。加えて、チャネル次元縮小により、従来技術のシステムにおけるベースバンド処理において複雑度が高いという問題も解決することができ、それによって、ベースバンド処理能力についての要件を低減している。
【０２１３】
実施形態における方法のプロセスのすべてまたは一部が、関連ハードウェアを命令するコンピュータプログラムによって実施され得ることは、当業者は理解されよう。プログラムは、コンピュータ可読記憶媒体に記憶され得る。プログラムが動作する場合には、実施形態における方法のプロセスを行う。前述の記憶媒体は、磁気ディスク、光ディスク、リードオンリーメモリ(Read-Only Memory、ROM)、またはランダムアクセスメモリ(Random Access Memory、RAM)を含み得る。
【０２１４】
上述したことは、本発明の例示的な実施形態にすぎず、当然のことながら、本発明の保護範囲を限定することを意図したものではない。前述の実施形態を実施するプロセスのすべてまたは一部および本発明の特許請求の範囲に従ってなされる均等物への変更が本発明の範囲に含まれるものとすることは、当業者は理解されよう。
【符号の説明】
【０２１５】
140  基地局
200  ユーザ機器
250  マルチアンテナデータ伝送システム
260  基地局
270  ユーザ機器
280  ネットワークシステム
1400  第1のチャネル状態情報獲得モジュール
1402  セット決定モジュール
1404  第2のチャネル状態情報獲得モジュール
1406  データ送信モジュール
2000  第1の測定協調モジュール
2002  第2の測定協調モジュール
2004  データ受信モジュール
2006  復調モジュール
2500  基地局
2502  ユーザ機器
2600  入力装置
2602  出力装置
2604  メモリ
2606  プロセッサ
2700  入力装置
2702  出力装置
2704  メモリ
2706  プロセッサ
2800  基地局
2802  ユーザ機器
14000  レベル1 RS送信ユニット
14002  第1のチャネル状態受信ユニット
14004  レベル1 RS受信ユニット
14006  レベル1 RS測定ユニット
14040  レベル2 RS送信ユニット
14042  第2のチャネル状態受信ユニット
14044  シグナリング通知送信ユニット
14046  レベル2 RS受信ユニット
14048  レベル2 RS測定ユニット
14060  第1の処理および送信ユニット
14062  第2の処理および送信ユニット
20000  レベル1 RS受信ユニット
20002  レベル1 RS測定ユニット
20004  第1のフィードバックユニット
20020  レベル2 RS受信ユニット
20022  レベル2 RS測定ユニット
20024  第2のフィードバックユニット
20026  シグナリング通知受信ユニット
20028  レベル2 RS送信ユニット
【図１】
0006509255.tif 000003
【図２】
0006509255.tif 000004
【図３】
0006509255.tif 000005
【図４】
0006509255.tif 000006
【図５】
0006509255.tif 000007
【図６】
0006509255.tif 000008
【図７】
0006509255.tif 000009
【図８】
0006509255.tif 000010
【図９】
0006509255.tif 000011
【図１０】
0006509255.tif 000012
【図１１】
0006509255.tif 000013
【図１２】
0006509255.tif 000014
【図１３】
0006509255.tif 000015
【図１４】
0006509255.tif 000016
【図１５】
0006509255.tif 000017
【図１６】
0006509255.tif 000018
【図１７】
0006509255.tif 000019
【図１８】
0006509255.tif 000020
【図１９】
0006509255.tif 000021
【図２０】
0006509255.tif 000022
【図２１】
0006509255.tif 000023
【図２２】
0006509255.tif 000024
【図２３】
0006509255.tif 000025
【図２４】
0006509255.tif 000026
【図２５】
0006509255.tif 000027
【図２６】
0006509255.tif 000028
【図２７】
0006509255.tif 000029
【図２８】
0006509255.tif 000030